(57)【要約】【課題】使用者に対して、違和感などの不自然さを一切与えることなく、常時、使用者の動作と一体感が得られるように音楽を再生できるようにし、より利便性を向上させた音響を再生するための装置を提供する。【解決手段】音声信号出力処理部３１等を通じて音楽データの再生を開始した後に、運動情報センサ２４からの検出出力に基づいて、運動情報解析回路２３により、使用者の動作テンポが検出され、この検出された使用者の動作テンポと再生している音楽データのテンポとの差が所定範囲でない場合に、音楽再生データ生成装置２２などの検索手段により、使用者の動作テンポとの差が所定範囲内となるテンポの音楽データを検索し、この検索した音楽データを再生するように、再生する音楽データを制御部１０が変更する。【選択図】図１
2007226935.tif 000002
【特許請求の範囲】
【請求項１】
音楽データを再生する再生手段と、
使用者の動作の変化を検出するセンサ手段と、
前記再生手段を通じて音楽データの再生を開始した後において、所定のタイミング毎に、前記センサ手段からの検出出力に基づいて、使用者の動作テンポを検出する検出手段と、
前記再生手段により再生されている音楽データのテンポと前記検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記検出手段で検出された動作テンポとの差が所定範囲であるテンポの音楽データを検索する検索手段と、
前記再生手段によって再生される音楽データを前記検索手段によって検索された音楽データに変更する変更手段と
を備えることを特徴とする音響再生装置。
【請求項２】
音楽データを再生する再生手段と、
使用者の動作の変化を検出するセンサ手段と、
前記再生手段を通じて音楽データを再生するに先立って、前記センサ手段からの検出出力に基づいて、使用者の動作テンポを検出する第１の検出手段と、
前記第１の検出手段で検出された動作テンポとの差が所定範囲内であるテンポの音楽データを検索する第１の検索手段と、
前記第１の検索手段によって検索された音楽データを、前記再生手段を通じて再生するように制御する再生制御手段と、
前記再生手段を通じて音楽データを再生している場合において、所定のタイミング毎に、前記センサ手段からの検出出力に基づいて、使用者の動作テンポを検出する第２の検出手段と、
前記再生手段により再生されている音楽データのテンポと前記第２の検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記第２の検出手段で検出された動作テンポとの差が所定範囲内であるテンポの音楽データを検索する第２の検索手段と、
前記再生手段によって再生される音楽データを前記第２の検索手段によって検索された音楽データに変更する変更手段と
を備えることを特徴とする音響再生装置。
【請求項３】
請求項１または請求項２に記載の音響再生装置であって、
運動量の算出に用いる情報の入力を受け付ける受付手段と、
前記再生手段を通じて再生された音楽データの少なくとも識別情報と再生時間とを履歴情報として記憶保持する履歴保持手段と、
前記履歴保持手段に保持されている音楽データの識別情報に基づいて、再生された各音楽データの特性情報を取得する取得手段と、
前記受付手段を通じて受け付けた情報と、前記履歴保持手段に保持されている前記履歴情報と、前記取得手段によって取得された特性情報とに基づいて、使用者の運動量を算出する算出手段と、
前記算出手段によって算出された運動量を示す情報を出力する出力手段と
を備えることを特徴とする音響再生装置。
【請求項４】
請求項１または請求項２に記載の音響再生装置であって、
運動量の算出に用いる情報の入力を受け付ける受付手段と、
再生される音楽データ毎に、前記センサ手段からの検出出力に基づいて、使用者の運動種別を検出する運動種別検出手段と、
再生された音楽データ毎に、音楽データの識別情報と再生時間、及び、前記運動種別検出手段によって検出された前記運動種別を対応付けた履歴情報を記憶保持する履歴保持手段と、
前記履歴保持手段に保持されている音楽データの識別情報に基づいて、再生された各音楽データの特性情報を取得する取得手段と、
前記受付手段を通じて受け付けた使用者の身体に関するプロフィール情報と、前記履歴保持手段に保持されている前記履歴情報と、前記取得手段によって取得された特性情報とに基づいて、使用者の運動量を算出する算出手段と、
前記算出手段によって算出された運動量を示す情報を出力する出力手段と
を備えたことを特徴とする音響再生装置。
【請求項５】
音楽データの再生を開始させた後において、所定のタイミング毎に、使用者の動作の変化を検出するセンサからの検出出力に基づいて、使用者の動作テンポを検出する検出工程と、
再生されている音楽データのテンポと前記検出工程において検出した使用者の動作テンポとの差が、所定範囲内であるか否かを判断する判断工程と、
前記判断工程において、再生している音楽データのテンポと使用者の動作テンポとの差が所定範囲外であると判断した場合に、前記検出工程において検出した動作テンポとの差が所定範囲であるテンポの音楽データを検索する検索工程と、
再生する音楽データを前記検索工程において検索した音楽データに変更する変更工程と
を有することを特徴とする音響再生方法。
【請求項６】
音楽データを再生するに先立って、使用者の動作の変化を検出するセンサからの検出出力に基づいて、使用者の動作テンポを検出する第１の検出工程と、
前記第１の検出工程において検出した動作テンポとの差が所定範囲内であるテンポの音楽データを検索する第１の検索工程と、
前記第１の検索工程において検索した音楽データを再生するように制御する再生制御工程と、
音楽データを再生している場合において、所定のタイミング毎に、使用者の動作の変化を検出するセンサからの検出出力に基づいて、使用者の動作テンポを検出する第２の検出工程と、
再生されている音楽データのテンポと前記第２の検出工程において検出した使用者の動作テンポとの差が、所定範囲内であるか否かを判断する判断工程と、
前記判断工程において、再生されている音楽データのテンポと使用者の動作テンポとの差が所定範囲外であると判断した場合に、前記第２の検出工程において検出した動作テンポとの差が所定範囲内であるテンポの音楽データを検索する第２の検索工程と、
再生する音楽データを前記第２の検索工程において検索した音楽データに変更する変更工程と
を有することを特徴とする音響再生方法。
【請求項７】
請求項５または請求項６に記載の音響再生方法であって、
運動量の算出に用いる情報の入力を受け付ける受付工程と、
再生された音楽データの少なくとも識別情報と再生時間とを履歴情報として記憶手段に保持する履歴保持工程と、
前記履歴保持工程を通じて前記記憶手段に保持した音楽データの識別情報に基づいて、再生された各音楽データの特性情報を取得する取得工程と、
前記受付工程を通じて受け付けた使用者の身体に関するプロフィール情報及び行った運動の種類を示す運動種別と、前記履歴保持工程を通じて前記記憶手段に保持した前記履歴情報と、前記取得工程において取得した前記特性情報とに基づいて、使用者の運動量を算出する算出工程と、
前記算出工程において算出した運動量を示す情報を出力する出力工程と
を有することを特徴とする音響再生方法。
【請求項８】
請求項５または請求項６に記載の音響再生方法であって、
運動量の算出に用いる情報の入力を受け付ける受付工程と、
再生される音楽データ毎に、使用者の動作の変化を検出するセンサからの検出出力に基づいて、当該使用者の運動種別を検出する運動種別検出工程と、
再生された音楽データ毎に、音楽データの識別情報と再生時間、及び、前記運動種別検出工程において検出した前記運動種別とを対応付けて履歴情報を記憶手段に保持する履歴保持工程と、
前記履歴保持工程を通じて前記記憶手段に保持した音楽データの識別情報に基づいて、再生された各音楽データの特性情報を取得する取得工程と、
前記受付工程において受け付けた使用者の身体に関するプロフィール情報と、前記履歴保持工程を通じて前記記憶手段に保持した履歴情報と、前記取得工程おいて取得した特性情報とに基づいて、使用者の運動量を算出する算出工程と、
前記算出工程において算出した運動量を示す情報を出力する出力工程と
を有することを特徴とする音響再生方法。
【請求項９】
音楽データを再生する音響再生装置に搭載されたコンピュータに、
音楽データの再生を開始した後において、所定のタイミング毎に、使用者の動作の変化を検出するセンサからの検出出力に基づいて、使用者の動作テンポを検出する検出ステップと、
再生されている音楽データのテンポと前記検出ステップにおいて検出した使用者の動作テンポとの差が、所定範囲内であるか否かを判断する判断ステップと、
前記判断ステップにおいて、再生している音楽データのテンポと使用者の動作テンポとの差が所定範囲外であると判断した場合に、前記検出ステップにおいて検出した動作テンポとの差が所定範囲であるテンポの音楽データを検索する検索ステップと、
再生する音楽データを、前記検索ステップにおいて検索した音楽データに変更する変更ステップと
を実行させることを特徴とする音響再生プログラム。
【請求項１０】
音楽データを再生する音響再生装置に搭載されたコンピュータに、
音楽データを再生するに先立って、使用者の動作の変化を検出するセンサからの検出出力に基づいて、当該使用者の動作テンポを検出する第１の検出ステップと、
前記第１の検出ステップにおいて検出した動作テンポとの差が所定範囲内であるテンポの音楽データを検索する第１の検索ステップと、
前記第１の検索ステップにおいて検索した音楽データを再生するように制御する再生制御ステップと、
音楽データを再生している場合において、所定のタイミング毎に、使用者の動作の変化を検出するセンサからの検出出力に基づいて、当該使用者の動作テンポを検出する第２の検出ステップと、
再生されている音楽データのテンポと前記第２の検出ステップにおいて検出した使用者の動作テンポとの差が、所定範囲内であるか否かを判断する判断ステップと、
前記判断ステップにおいて、再生されている音楽データのテンポと使用者の動作テンポとの差が所定範囲外であると判断した場合に、前記第２の検出ステップにおいて検出した動作テンポとの差が所定範囲内であるテンポの音楽データを検索する第２の検索ステップと、
再生する音楽データを、前記第２の検索ステップにおいて検索した音楽データに変更する変更ステップと
を実行させることを特徴とする音響再生プログラム。
【請求項１１】
請求項９または請求項１０に記載の音響再生プログラムであって、
運動量の算出に用いる情報の入力を受け付ける受付ステップと、
再生された音楽データの少なくとも識別情報と再生時間とを履歴情報として記憶手段に保持する履歴保持ステップと、
前記履歴保持ステップにおいて前記記憶手段に保持した音楽データの識別情報に基づいて、再生された各音楽データの特性情報を取得する取得ステップと、
前記受付ステップにおいて受け付けた使用者の身体に関するプロフィール情報及び行った運動の種類を示す運動種別と、前記履歴保持工程を通じて前記記憶手段に保持した前記履歴情報と、前記取得工程において取得した前記特性情報とに基づいて、使用者の運動量を算出する算出ステップと、
前記算出ステップにおいて算出した運動量を示す情報を出力する出力ステップと
を実行させることを特徴とする音響再生プログラム。
【請求項１２】
請求項９または請求項１０に記載の音響再生プログラムであって、
運動量の算出に用いる情報の入力を受け付ける受付ステップと、
再生される音楽データ毎に、使用者の動作の変化を検出するセンサからの検出出力に基づいて、当該使用者の運動種別を検出する運動種別検出ステップと、
再生された音楽データ毎に、音楽データの識別情報と再生時間、及び、前記運動種別検出ステップにおいて検出した前記運動種別とを対応付けた履歴情報を記憶手段に保持する履歴保持ステップと、
前記履歴保持ステップにおいて前記記憶手段に保持した音楽データの識別情報に基づいて、再生された各音楽データの特性情報を取得する取得ステップと、
前記受付ステップにおいて受け付けた使用者の身体に関するプロフィール情報と、前記履歴保持ステップを通じて前記記憶手段に保持した前記履歴情報と、前記取得ステップにおいて取得した特性情報とに基づいて、使用者の運動量を算出する算出ステップと、
前記算出ステップにおいて算出した運動量を示す情報を出力する出力ステップと
を実行させることを特徴とする音響再生プログラム。
【請求項１３】
使用者からの個人プロフィール情報の入力を受け付けるプロフィール情報受付手段と、
使用者の目標運動量の入力を受け付ける目標運動量受付手段と、
使用者の動作を検出する検出手段と、
前記プロフィール情報受付手段を通じて受け付けた使用者の個人プロフィール情報と、前記検出手段からの検出出力に基づいて、使用者の実運動量を算出する算出手段と、
前記算出手段で算出された使用者の前記実運動量の累積値が、前記目標運動量受付手段を通じて受け付けた前記目標運動量に到達するまでの間において、再生すべき音楽データを順次に選択する選択手段と、
前記選択手段によって選択された前記音楽データを再生する再生手段と
を備えることを特徴とする音響再生装置。
【請求項１４】
請求項１３に記載の音響再生装置であって、
前記目標運動量と前記実運動量とは、運動時間、運動強度、運動距離、運動回数、歩数、消費カロリー、脂肪燃焼量の少なくとも１つを含むものであることを特徴とする音響再生装置。
【請求項１５】
請求項１３に記載の音響再生装置であって、
前記個人プロフィール情報は、身長、体重、年齢、性別、歩幅の内の少なくとも１つを含むものであることを特徴とする音響再生装置。
【請求項１６】
請求項１３に記載の音響再生装置であって、
少なくとも再生された音楽データの識別情報と、当該音楽データの再生時における実運動量とを対応付けた履歴情報を作成する履歴情報作成手段と、
前記履歴情報作成手段を通じて作成された前記履歴情報を記憶保持する記憶手段と、
前記記憶手段に記憶された前記履歴情報の前記実運動量が、目的とする運動量に到達した場合に、予め決められた特典を付与するようにする特典付与手段と
を備えることを特徴とする音響再生装置。
【請求項１７】
使用者からの個人プロフィール情報の入力を受け付けるプロフィール情報受付工程と、
使用者の目標運動量の入力を受け付ける目標運動量受付工程と、
使用者の動作を検出する検出工程と、
前記プロフィール情報受付工程において受け付けた使用者の個人プロフィール情報と、前記検出工程において検出した検出結果とに基づいて、使用者の実運動量を算出する算出工程と、
前記算出工程において算出した使用者の前記実運動量の累積値が、前記目標運動量受付工程において受け付けた前記目標運動量に到達するまでの間において、再生すべき音楽データを順次に選択する選択工程と、
前記選択工程において選択した前記音楽データを再生する再生工程と
を有することを特徴とする音響再生方法。
【請求項１８】
請求項１７に記載の音響再生方法であって、
前記目標運動量と前記実運動量とは、運動時間、運動強度、運動距離、運動回数、歩数、消費カロリー、脂肪燃焼量の少なくとも１つを含むものであることを特徴とする音響再生方法。
【請求項１９】
請求項１７に記載の音響再生装置であって、
前記個人プロフィール情報は、身長、体重、年齢、性別、歩幅の内の少なくとも１つを含むものであることを特徴とする音響再生装置。
【請求項２０】
請求項１７に記載の音響再生方法であって、
少なくとも再生された音楽データの識別情報と、当該音楽データの再生時における実運動量とを対応付けた履歴情報を作成する履歴情報作成工程と、
前記履歴情報作成工程において作成した前記履歴情報を記録媒体に記憶保持する記憶処理工程と、
前記記憶媒体に記憶した前記履歴情報の前記実運動量が、目的とする運動量に到達した場合に、予め決められた特典を付与するようにする特典付与工程と
を有することを特徴とする音響再生方法。
【請求項２１】
音楽データを再生する音響再生装置に搭載されたコンピュータに、
キー操作部を通じて入力される使用者からの個人プロフィール情報の入力を受け付けるプロフィール情報受付ステップと、
キー操作部を通じて入力される使用者の目標運動量の入力を受け付ける目標運動量受付ステップと、
使用者に装着するようにされるセンサ装置からの検出出力に基づいて、使用者の動作を検出する検出ステップと、
前記プロフィール情報受付ステップにおいて受け付けた使用者の個人プロフィール情報と、前記検出ステップにおいて検出した使用者の動作とに基づいて、使用者の実運動量を算出する算出ステップと、
前記算出ステップにおいて算出した使用者の前記実運動量の累積値が、前記目標運動量受付ステップにおいて受け付けた前記目標運動量に到達するまでの間において、再生すべき音楽データを順次に選択する選択ステップと、
前記選択ステップにおいて選択した前記音楽データを再生するようにする再生ステップと
を実行することを特徴とする音響再生プログラム。
【請求項２２】
請求項２１に記載の音響再生プログラムであって、
前記目標運動量と前記実運動量とは、運動時間、運動強度、運動距離、運動回数、歩数、消費カロリー、脂肪燃焼量の少なくとも１つを含むものであることを特徴とする音響再生プログラム。
【請求項２３】
請求項２１に記載の音響再生装置であって、
前記個人プロフィール情報は、身長、体重、年齢、性別、歩幅の内の少なくとも１つを含むものであることを特徴とする音響再生装置。
【請求項２４】
請求項２１に記載の音響再生プログラムであって、
少なくとも再生された音楽データの識別情報と、当該音楽データの再生時における実運動量とを対応付けた履歴情報を作成する履歴情報作成ステップと、
前記履歴情報作成ステップにおいて作成した前記履歴情報を記録媒体に記憶保持する記憶処理ステップと、
前記記憶媒体に記憶した前記履歴情報の前記実運動量が、目的とする運動量に到達した場合に、予め決められた特典を付与するようにする特典付与ステップと
を実行することを特徴とする音響再生プログラム。
【発明の詳細な説明】
【技術分野】
【０００１】
この発明は、例えば、ハードディスクプレーヤ、ＭＤ（Mini Disc（登録商標））プレーヤ、音楽データ再生機能付き携帯情報端末などの音響を再生する機能を備えた装置、音響を再生する装置において用いられる方法、プログラムに関する。
【背景技術】
【０００２】
近年、小型化、軽量化された携帯型音響再生装置の普及にともなって、これまでになかった場面で音楽が聴かれるようになってきている。例えば、携帯型音響再生装置を屋外に持ち出し、歩きながら音楽を聴いたり、あるいは、健康維持、健康増進、ダイエットなどの目的で行うジョギング、ウォーキングなどのスポーツを行う際などにおいて音楽を聞いたりすることが広く行われている。
【０００３】
この場合、再生される音楽のテンポと使用者の動作（例えば、歩行、ジョギング、ウォーキングなどの運動）のテンポ（以下、単に動作テンポまたは運動テンポという。）が一致する時に動作と音楽の一体感が得られる。このため、再生される音楽のテンポと使用者の動作テンポがずれたり、使用者の動作テンポが急に変化したりした場合にも動作と音楽の一体感が得られるように使用者の動作テンポを検出し、動作テンポの変化に応じて再生する音楽のテンポを変化させる装置が考えられている。
【０００４】
なお、この明細書において、音楽のテンポ、音楽の再生テンポ、曲テンポという文言は、音楽データの再生時の速さであり、１分間あたりの拍の数（ＢＰＭ：Beat Per Minutes）を意味している。また、使用者の動作テンポ（運動テンポ）は、具体的には、動作の速度であって、例えば、使用者の動作（運動）がウォーキングやランニングなどの場合には、１分間あたりの歩数であり、また、動作がジャンプの場合には、１分間当たりのジャンプの回数であるというように、１分間当たりの使用者の計数可能な最小の動作の単位（１つの動作（運動））の数を意味している。
【０００５】
そして、後に記す特許文献１には、使用者が身体に装着した検出器により、動作にともなう振動や歩行のステップデータから動作あるいは歩行のペースを求めて、その変化に応じて音楽の再生テンポを変化させる装置が開示されている。このような装置を用いることにより、再生される音楽に合わせて、無理なく運動を継続したり、効率よく運動を行うことができたりするなどのことができるようにされる。
【０００６】
なお、上述した特許文献１は、以下の通りである。
【特許文献１】特開２００５−１５６６４１号公報
【発明の開示】
【発明が解決しようとする課題】
【０００７】
ところで、上述した特許文献１に記載の発明は、使用者の動作テンポに合わせて、再生している音楽の再生テンポを変化させるものであり、常に、音楽の再生テンポを使用者の動作テンポに追従させることができる。しかし、再生している音楽の再生テンポを変化させるために、変化の開始から終了までの過渡的なテンポの音楽が使用者に提供されてしまう場合がある。また、再生される音楽は、一般に既成のものであるので、中には再生テンポの変化に不向きなものもあると考えられる。
【０００８】
また、再生される音楽に合わせて運動を行うようにする場合、再生される音楽と使用者の動作との一体感を得られるようにすることによって、運動を楽に継続できるようにするだけでなく、運動を行うことについての動機付けや運動量の把握や管理までをも支援できるようにするなど、使用者にとっての利便性をより向上させるようにすることが望まれている。
【０００９】
さらに、運動の動機付けや運動の継続の支援についても、数分単位、あるいは、数十分単位、精々数時間単位といった比較的に短い時間単位で行われる１回のエクササイズを対象にするのではなく、１日単位、１週間単位、１ヶ月単位、１年単位などというように、比較的に長期間に渡って継続することが好ましい運動を行うことについての動機付けや当該運動の継続の支援を行えるようにする機能も新たに求められるようになってきている。
【００１０】
以上のことに鑑み、この発明の第１の目的は、使用者に対して、違和感などの不自然さを一切与えることなく、常時、使用者の動作と一体感が得られるように音楽を再生できるようにし、より利便性を向上させた音響を再生するための装置、方法、プログラムを提供することであり、この発明の第２の目的は、比較的に短い時間単位で行われる１回の運動についてはもとより、比較的に長期間に渡って継続することが好ましい運動を行うことについての動機付けや当該運動の継続の支援を行えるようにする装置、方法、プログラムを提供することである。
【課題を解決するための手段】
【００１１】
上記課題を解決するため、請求項１に記載の発明の音響再生装置は、
音楽データを再生する再生手段と、
使用者の動作の変化を検出するセンサ手段と、
前記再生手段を通じて音楽データの再生を開始した後において、所定のタイミング毎に、前記センサ手段からの検出出力に基づいて、使用者の動作テンポを検出する検出手段と、
前記再生手段により再生されている音楽データのテンポと前記検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記検出手段で検出された動作テンポとの差が所定範囲であるテンポの音楽データを検索する検索手段と、
前記再生手段によって再生される音楽データを前記検索手段によって検索された音楽データに変更する変更手段と
を備えることを特徴とする。
【００１２】
この請求項１に記載の発明の音響再生装置によれば、再生手段を通じて音楽データの再生を開始した後に、所定のタイミング毎に、センサ手段からの検出出力に基づいて、検出手段により、使用者の動作テンポが検出され、この検出された使用者の動作テンポと再生している音楽データのテンポとの差が所定範囲内か否かが判断手段によって判断される。
【００１３】
そして、使用者の動作テンポと再生している音楽データのテンポとの差が所定範囲外であると判断された場合には、検索手段により、使用者の動作テンポとの差が所定範囲内となるテンポの音楽データが検索され、この検索された音楽データが再生されるように、再生する音楽データが変更手段によって変更される。
【００１４】
これにより、使用者の動作テンポに応じて、再生する音楽データ自体を変更することができるようにされるので、再生している音楽データを変えることなくテンポのみを変更する場合と異なり、違和感などの不自然さを一切与えることなく、使用者の動作と一体感が得られるように音楽を再生することができるようにされる。
【００１５】
また、請求項２に記載の発明の音響再生装置は、
音楽データを再生する再生手段と、
使用者の動作の変化を検出するセンサ手段と、
前記再生手段を通じて音楽データを再生するに先立って、前記センサ手段からの検出出力に基づいて、使用者の動作テンポを検出する第１の検出手段と、
前記第１の検出手段で検出された動作テンポとの差が所定範囲内であるテンポの音楽データを検索する第１の検索手段と、
前記第１の検索手段によって検索された音楽データを、前記再生手段を通じて再生するように制御する再生制御手段と、
前記再生手段を通じて音楽データを再生している場合において、所定のタイミング毎に、前記センサ手段からの検出出力に基づいて、使用者の動作テンポを検出する第２の検出手段と、
前記再生手段により再生されている音楽データのテンポと前記第２の検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記第２の検出手段で検出された動作テンポとの差が所定範囲内であるテンポの音楽データを検索する第２の検索手段と、
前記再生手段によって再生される音楽データを前記第２の検索手段によって検索された音楽データに変更する変更手段と
を備えることを特徴とする。
【００１６】
この請求項２に記載の発明の音響再生装置によれば、再生手段を通じての音楽データの再生に先立って、まず、第１の検出手段を通じて使用者の動作テンポが検出される。そして、検出された動作テンポに応じたテンポの音楽データが第１の検索手段によって検索され、ここで検索された音楽データが再生制御手段の制御により再生手段によって再生するようにされる。
【００１７】
この後、音楽データが再生されている間においては、所定のタイミング毎に、センサ手段からの検出出力に基づいて、第２の検出手段によって、使用者の動作テンポが検出され、判断手段によって、使用者の動作テンポと再生している音楽データのテンポとの差が所定範囲内か否かが判断される。
【００１８】
そして、使用者の動作テンポと再生している音楽データのテンポとの差が所定範囲外であると判断された場合には、第２の検索手段により、使用者の動作テンポに応じたテンポの音楽データが検索され、この検索された音楽データが再生されるように、再生される音
楽データが変更手段によって変更される。
【００１９】
これにより、音楽データの再生開始から再生終了までの間において、使用者の動作テンポに応じて、再生する音楽データ自体を変更することができるようにされるので、再生している音楽データを変えることなくテンポのみを変更する場合と異なり、違和感などの不自然さを一切与えることなく、使用者の動作と一体感が得られるように音楽を再生することができるようにされる。
【００２０】
また、請求項１３に記載の発明の音響再生装置は、
使用者からの個人プロフィール情報の入力を受け付けるプロフィール情報受付手段と、
使用者の目標運動量の入力を受け付ける目標運動量受付手段と、
使用者の動作を検出する検出手段と、
前記プロフィール情報受付手段を通じて受け付けた使用者の個人プロフィール情報と、前記検出手段からの検出出力に基づいて、使用者の実運動量を算出する算出手段と、
前記算出手段で算出された使用者の前記実運動量の累積値が、前記目標運動量受付手段を通じて受け付けた前記目標運動量に到達するまでの間において、再生すべき音楽データを順次に選択する選択手段と、
前記選択手段によって選択された前記音楽データを再生する再生手段と
を備えることを特徴とする。
【００２１】
この請求項１３に記載の発明の音響再生装置によれば、プロフィール情報受付手段を通じて使用者の個人プロフィール情報が受け付けられ、目標運動量受付手段を通じて使用者の目標運動量が受け付けられる。そして、プロフィール情報受付手段を通じて受け付けた個人プロフィール情報と、検出手段を通じて検出された使用者の動作とに基づいて、算出手段により使用者の実運動量が算出される。
【００２２】
そして、算出手段によって算出される実運動量の累積値が目標運動量受付手段を通じて受け付けた目標運動量に到達するまでの間において、選択手段によって再生すべき音楽データが順次に選択され、この選択された音楽データが再生手段により再生するようにされる。
【００２３】
これにより、使用者の行う運動の運動量が、入力された目標運動量に到達するまでの間において、使用者の手を煩わせることなく、再生すべき音楽データを自動的に選択し、これを順次に再生することができるようにされる。したがって、目標運動量に到達されるまでの間においては、音楽データが連続して再生するようにされるので、運動を継続するように、動機付けを与えることができると共に、運動の継続を支援することができるようにされる。
【発明の効果】
【００２４】
使用者が行う運動（ウォーキング、ジョギング、ランニング、筋力トレーニングなど）の動作のテンポ（動作テンポ）の変化を検出し、動作テンポに応じたテンポの楽曲（音楽データ）を選択再生することにより、違和感を生じさせること無く、動作（運動）と再生される楽曲との一体感を与えるようにすることができる。
【００２５】
また、目標運動量を設定したり、予め決められた目的とする運動量を設定し、使用者が行う運動の運動量がこれらを超えるまで連続して楽曲を再生したり、あるいは、超えた場合に特定を付与するなどのことを行うことによって、運動を継続して行うことの動機付けを与えると共に、運動を継続することができるように支援することができる。これにより、継続することが好ましい運動を継続することができるようにすることができる。
【発明を実施するための最良の形態】
【００２６】
以下、図を参照しながら、この発明による装置、方法、プログラムの一実施の形態について説明する。以下に説明する実施の形態においては、この発明による装置、方法、プログラムを、例えば、携帯型ハードディスクプレーヤ、携帯型ＭＤ（Mini Disc（登録商標））プレーヤ、音楽データ（楽曲データ）の再生機能を備えた携帯電話端末などの携帯型の音響再生装置（音楽再生装置）に適用した場合を例にして説明する。
【００２７】
［音響再生装置の構成と基本動作について］
図１は、この実施の形態の音響再生装置を説明するためのブロック図である。この実施の形態の音響再生装置は、上述もしたように、携帯型のものであり、小型化、軽量化が図られ、衣服のポケットなどに収納するなどして気軽に持ち運んで利用することができるものである。したがって、ウォーキング、ジョギング、ランニングなどといった種々の運動をしながら音楽を再生して聴取する場合に用いて好適なものである。
【００２８】
図１に示すように、この実施の形態の音響再生装置は、制御部１０、音楽情報記憶装置部２１、音楽再生データ生成装置部２２、運動情報解析回路２３、運動情報センサ２４、音声信号出力処理部３１、スピーカ３２、表示回路３３、表示部３４、キー操作部４１、マイクロホン（図１においてはマイクと記載。）４２、音声信号入力処理部４３、外部端子５１、Ｉ／Ｆ（インターフェース）５２、記憶装置部５３、通信Ｉ／Ｆ６１、送受信回路６２、送受信アンテナ６３を備えたものである。
【００２９】
制御部１０は、この音響再生装置の各部を制御するものであり、ＣＰＵ（Central Processing Unit）１１、ＲＯＭ（Read Only Memory）１２、ＲＡＭ（Random Access Memory）１３が、ＣＰＵバス１４を通じて接続されて構成されたものである。ここで、ＣＰＵ１１は、プログラムを実行し、これに応じて生成される制御信号を各部に供給することによって各部を制御することができるものであり、制御の主体となるものである。ＲＯＭ１２は、ＣＰＵ１１によって実行される種々のプログラムや処理に必要となる種々のデータなどを記憶保持するものである。また、ＲＡＭ１３は、処理の途中結果を一時記憶するなど、主に作業領域（ワークエリア）として用いられるものである。
【００３０】
音楽情報記憶装置部２１は、記録媒体に記録されている音楽データを読み出したり、記録媒体に対して音楽データを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、音楽情報記憶装置部２１はハードディスクドライブに相当し、記録媒体が光ディスクの場合には、音楽情報記憶装置部２１は光ディスクドライブに相当する。
【００３１】
音楽再生データ生成装置部２２は、制御部１０からの制御に応じて、再生する音楽データ（楽曲データ）についての種々の処理を行うものである。具体的には後述もするが、音楽情報記憶装置部２１に記憶されている複数の音楽データの中から再生する音楽データを選択したり、再生する音楽データの再生順序を決定したりするなどの処理を行う部分である。
【００３２】
運動情報解析回路２３は、制御部１０等からの制御に応じて、使用者の運動に関する解析処理等を行う部分である。後述もするが、運動情報解析回路２３は、キー操作部４１を通じて入力される使用者の身長、体重、性別などの個人プロフィール情報と、再生された音楽データの再生時間やテンポなどの特性情報に基づいて、音楽データを再生することにより提供された音楽に合わせて使用者が所定の運動を行った場合に、運動量はどれ位かを算出する。
【００３３】
また、運動情報解析回路２３は、キー操作部４１を通じて目標とする運動量が入力された場合には、入力された運動量の運動を行う場合の運動の強度や運動時間（運動を継続して行うべき時間）などを算出する機能をも有する。また、運動情報解析回路２３は、運動情報センサ２４からの検出出力の供給を受けて、使用者の実運動量を算出することもできるものである。
【００３４】
なお、図１において、二重線のブロックで示した音楽再生データ生成装置部２２、運動情報解析回路２３の機能は、制御部１０において実行されるプログラムによっても実現することができる。すなわち、音楽再生データ生成装置部２２、運動情報解析回路２３の機能は、制御部１０が機能して実現することも可能である。
【００３５】
運動情報センサ２４は、加速度センサ、ショックセンサ、圧力センサ、帯電位センサ、歪みセンサ、測距センサ、電流センサ、温度センサなどの種々のセンサの内の１つ以上を用いて、使用者が運動を行っている場合にこれを検出したり、あるいは、使用者の体温の変化や脈拍の変化などを検出したりするなどのことができるものである。これらの検出出力が、上述もしたように、運動情報解析回路２３に供給され、実運動量の算出などに用いられることになる。
【００３６】
この実施の形態において、運動情報センサ２４は、例えば、３軸の加速度センサが用いられ、この加速度センサからの検出出力を解析することにより、ウォーキングやジョギング等の動作テンポ（動作のテンポ）を検出することができるようにされている。また、運動情報センサ２４として用いられる加速度センサからの検出出力を解析することにより、使用者が行っている運動がウォーキングなのかジョギングなのかのように、行われている運動の種別についても検出することができるようにしている。
【００３７】
音声信号出力処理部３１は、この実施の形態の音響再生装置においては、制御部１０を通じて供給される再生対象の音声データ（デジタルデータ）の供給を受けて、これをＤ／Ａ（Digital/Analog）変換するなどして出力用のアナログ音声信号を形成するものである。音声信号出力処理部３１からのアナログ音声信号は、スピーカ３２に供給され、スピーカ３２からは、これに供給されたアナログ音声信号に応じた音声が放音するようにされる。
【００３８】
なお、図示しないが、音声信号出力処理部３１には、音声出力端子が接続するようにされており、これにヘッドホンやイヤホンが接続された場合には、音声信号出力処理部３１からのアナログ音声信号が当該音声信号出力端子を通じて、これに接続されたヘッドホンやイヤホンに供給され、ヘッドホンやイヤホンを通じて再生音声を聴取することもできるようにされる。このように、音声出力端子にヘッドホンやイヤホンが接続されている場合には、スピーカ３２からは再生音声は放音しないようにされる。
【００３９】
表示回路３３は、制御部１０からの制御に応じて、表示部３４の表示画面に表示する画像を形成するものである。この場合、表示部３４は、例えば、ＬＣＤ（Liquid Crystal Display）、ＥＬ（Electro Luminescence）パネルなどの表示素子が用いられたものであり、比較的に大きな表示画面を備え、種々の情報を表示することができるものである。この表示部３４の表示画面には、制御部１０の制御に応じて、操作ガイダンス、エラーメッセージ、再生音楽のタイトル、その他の種々の文字情報や画像情報等が表示するようにされる。
【００４０】
キー操作部４１は、複数の操作キーやファンクションキーを備え、音楽再生の開始や終了、再生する音楽の選択、個人プロフィール情報、目標運動量など、この音響再生装置に対して与えるべき指示や情報等の入力を受け付ける部分である。また、マイクロホン４２は、音声を収音して、これを電気信号に変換して取り込むものである。マイクロホン４２によって収音された音声に応じたアナログ音声信号は、音声信号入力処理部４３に供給され、ここでＡ／Ｄ（Analog/Digital）変換などが施され、制御部１０を通じて音楽情報記憶装置部２１の記録媒体に記録するなどのことができるようにされる。
【００４１】
外部端子（外部入出力端子）５１は、外部機器との接続端子であり、例えば、他の音響再生装置から音声データの供給を受けて、これを取り込むようにしたり、逆に、この実施の形態の音響再生装置から他の外部機器に音楽データを供給したりすることができるようにしている。また、音楽データの他、プログラムや種々のデータの入出力も可能である。
【００４２】
なお、Ｉ／Ｆ５２は、外部端子を通じて供給を受けたデータをこの実施の形態の音響再生装置に取り込んで、これを処理することができる形式のデータに変換したり、逆に、他の機器に出力すべきデータから出力可能な形式のデータに変換したりするなどの処理を行うものである。
【００４３】
記憶装置部５３は、後述もするが、保存しておくべきデータ、例えば、再生された音声データの識別情報、その音声データの特性情報、使用者の個人プロフィール情報、算出される運動量情報等の種々の情報を記憶保持することができるものである。また、この記憶装置部５３に音楽データを記憶させるようにするなどのことももちろん可能である。
【００４４】
なお、記憶装置部５３は、上述した音楽情報記憶装置部２１と同様に、記録媒体に記録されている種々のデータを読み出したり、記録媒体に対して種々のデータを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、記憶装置部５３はハードディスクドライバに相当し、記録媒体が光ディスクの場合には、記憶装置部５３は光ディスクドライバに相当する。
【００４５】
また、この実施の形態の音響再生装置は、通信Ｉ／Ｆ（インターフェース）６１を備え、例えば、インターネットなどのネットワーク１００に接続して、目的とする音楽データやその音楽データの特性情報等の送受を行うことができるようにしている。また、送受信回路６２、送受信アンテナ６３を通じて、例えば、無線ＬＡＮ（Local Area Network）などに接続することによって、音楽データやその特性情報等を取得することもできるようにされる。
【００４６】
そして、キー操作部４１を通じて受け付ける使用者からの指示入力に応じて、制御部１０は各部を制御し、通信Ｉ／Ｆ６１、あるいは、外部端子５１及びＩ／Ｆ５１、あるいは、送受信回路６２及び送受信アンテナ６３を通じて供給を受ける音楽データやその音楽データの総再生時間、テンポ、ジャンル、曲調などの音楽データの特性情報を制御部１０を通じて音楽情報記憶装置部２１の記録媒体に記録することができるようにされている。
【００４７】
そして、通常は、音楽情報記憶装置部２１に音楽データとして記憶保持されている音楽（楽曲）の一覧表が、制御部１０によって形成され、これが表示回路３３を通じて表示部３４の表示画面に表示され、その表示された音楽の一覧表示の中から、キー操作部４１を通じて再生する音楽データを選択することにより、その音楽データを再生することができるようにされる。
【００４８】
この場合、制御部１０は、キー操作部４１を通じて受け付けた音楽データの選択情報を含む再生指示に応じて、音楽情報記憶装置部２１から目的とする音楽データを読み出し、これを音声信号出力処理部３１に供給する。このように、音声信号出力処理部３１に音声データが供給されると、上述もしたように出力用のアナログ音声信号が形成され、スピーカ３２、あるいは、図示しない外部出力端子に接続されたヘッドホンやイヤホンを通じて目的とする音楽データを再生して、これにより放音される音楽を聴取することができるようにしている。
【００４９】
そして、この実施の形態の音響再生装置においては、以下に詳しく説明するように、音楽データを再生している場合において、運動情報センサ２４と運動情報解析回路２３との機能により、所定のタイミング毎に使用者の動作テンポを検出するようにし、再生する音楽データを使用者の動作テンポに応じたテンポの音楽データに変更することができるものである。
【００５０】
このように、再生している音楽データの再生テンポを変更するのではなく、再生する音楽データを使用者の動作テンポに応じたテンポの音楽データに変更することによって、違和感を生じさせることなく、使用者の動作テンポに応じた音楽データを再生できるようにし、運動を行っている使用者が、再生される音楽データに対して一体感を感じ取ることができ、無理なく、しかも効率的に運動を継続させることができるようにしている。
【００５１】
さらに、この実施の形態の音響再生装置においては、キー操作部４１を通じて、使用者の体重、身長、性別、年齢などの個人プロフィール情報が入力された場合であって、音楽データが再生された場合には、個人プロフィール情報と再生された音楽データの再生時間、テンポなどの特性情報とに基づいて、当該音楽データに応じた音楽に呼応してウォーキングやジョギングなどの所定の運動を行った場合の運動量が運動情報解析回路２３で算出される。そして、音楽データの再生終了時などにおいて、その算出された運動量情報を、表示回路３３を通じて、表示部３４に表示し、使用者に提供できるようにしている。
【００５２】
このように、使用者が行った運動の量を簡単かつ正確に算出し、これを使用者に提示できるようにすることによって、音楽を聴きながらどのくらい運動すると、どのくらいの運動量になり、どれくらい運動すべきかなど、運動を継続して行う動機付けを明確に行うことができるようにしている。
【００５３】
また、この実施の形態の音響再生装置の場合には、運動情報センサ２４を備えており、この運動情報センサ２４を通じて使用者が運動したことを検出した場合には、その検出出力が運動情報解析回路２３に供給され、使用者の実運動量を算出することもできる。この実運動量についても、表示部３４の表示画面に表示して、使用者に提供することができる。
【００５４】
さらに、他の機能として、キー操作部４１を通じて、目標とする運動量が入力された場合には、運動情報解析回路２３の機能により必要な運動時間および運動強度などが算出され、その結果をもとにして音楽再生データ生成装置部２２が音楽情報記憶装置部２１に記憶保持されている音楽データから再生する音楽データを選択する。
【００５５】
そして、選択した音楽データの再生テンポ、再生する音楽データの組み合わせ（再生順序）、各音楽データの再生繰り返し回数などを決定し、その決定したとおりに音楽データを再生し、再生される音楽に呼応して運動することによって、目的とする運動量の運動を無理なく行うことができるようにしている。
【００５６】
また、他の機能として、キー操作部を通じて、目標とする運動量が入力された場合には、入力された当該目標とする運動量に到達するまで、再生すべき音楽データを自動選曲することもできるようにしている。具体的には、後述もするが、例えば、目標とする消費カロリー（目標消費カロリー）を入力した場合には、この目標消費カロリー分の運動をユーザーが行うまで、再生すべき音楽データを自動選曲して再生するカロリーシャッフル機能を備えている。
【００５７】
なお、この場合において累積すべき運動量の算出は、基本的には、運動センサ２４からの検出出力に基づいて算出する運動量を用いる。すなわち、上述もしたように、運動情報解析回路２３において、運動情報センサ２４からの検出出力や入力された個人プロファイル情報や再生された音楽データの再生時間、テンポ等の特性情報に基づいて算出する運動量を用いることになる。
【００５８】
また、運動を行った場合に、再生した音楽データの曲名などの識別情報、再生時間、再生回数、個人プロフィール情報、運動量情報などの情報の１つ以上を履歴情報として、記憶装置部５３に記憶保持するようにしておくことにより、運動終了後において、記憶保持するようにした情報を解析することができるようにしている。例えば、運動量情報を記憶装置部５３に蓄積しておくようにすれば、日々どのように運動を行った、運動量のトータルはどれ位かなどの情報を得ることもできるようにしている。
【００５９】
また、記憶装置部５３に記憶保持するようにした運動量情報などの履歴情報に基づいて、運動量が予め決められた値に到達した場合に特典を与えるなどの娯楽性を付与することによって、長期間にわたって継続することが好ましい運動を行うことについての動機付けや当該運動の継続の支援および運動量の管理をも行うことができるようにしている。
【００６０】
［音響再生装置の外観について］
次に、この実施の形態の音響再生装置が取り得る代表的な外観の例について説明する。図２は、この実施の形態の音響再生装置が取り得る代表的な外観の例を説明するための図である。この実施の形態の音響再生装置が取り得る外観の大きさは、使用者の胸ポケットに入る程度以下の大きさであり、使用者の手のひらに納まる程度以下の大きさとなる。
【００６１】
したがって、この実施の形態の音響再生装置の大きさは、大きくても図２Ａ、Ｂに示すように、使用者の胸ポケットに入る程度の大きさとなり、小さい場合には、図２Ｃに示すように、板状に形成されたチューイングガムを複数枚重ねた程度、あるいは、それよりやや大きい程度の大きさとなる。もちろん、技術の進歩により、更なる小型化や薄型化、軽量化の可能性もある。
【００６２】
そして、図２Ａ、Ｂのそれぞれは、使用者の胸ポケットに入る程度の大きさに構成した場合のこの実施の形態の音響再生装置の外観を示しており、図２Ａに示すように音響再生装置の長手方向を使用者に対して上下方向として使用する縦型のものと、図２Ｂに示すように音響再生装置の長手方向を使用者に対して左右方向として使用する横型のものとが考えられる。
【００６３】
そして、図２Ａ、Ｂに示すように、使用者と対向することとなる音響再生装置の面（前面）には、ＬＣＤなどの表示部の表示画面とキー操作部が設けられる。図２Ａに示すように、縦型の音響再生装置の場合には、表示画面３４Ｇの下側部分にキー操作部４１が設けられる。もちろん、表示画面３４Ｇとキー操作部４１との位置関係を図２Ａの場合とは逆にすることもできる。また、縦型の音響再生装置の場合には、表示画面３４Ｇを音響再生装置の前面の中央部分に配置し、その上側部分と下側部分との２つの部分にキー操作部４１を分けて設けるようにすることも可能である。
【００６４】
また、図２Ｂに示すように、横型の音響再生装置の場合には、表示画面３４Ｇの横側部分にキー操作部４１が設けられる。もちろん、表示画面３４Ｇとキー操作部４１との位置を逆にすることも可能である。すなわち、表示画面３４Ｇとキー操作部４１とのうち、いずれかを右側に配置すれば、他方は左側に配置することになる。また、横型の音響再生装置の場合においても、表示画面３４Ｇを音響再生装置の前面の中央部分に配置し、その右側部分と左側部分との２つの部分にキー操作部４１を分けて設けるようにすることも可能である。
【００６５】
また、キー操作部４１としては、図２Ａに示すように、押下操作が可能ないわゆる「ボタンキー」のみで構成したり、図２Ｂに示すように、ダイヤル部４１Ｄを有し、ダイヤル部４１Ｄ上を指などでなぞる操作と、ダイヤル部４１Ｄ上の所定の位置の押下操作とが可能なダイヤルとで構成したりすることが可能である。なお、ダイヤル部４１Ｄは、ダイヤル部４１Ｄ自体を機械的に回動操作が可能なものとすることも可能である。
【００６６】
また、図２Ｃのように極めて小型に構成した場合には、図２Ａ、Ｂのように音響再生装置の前面にキー操作部４１を設けることができないので、図２Ｃに示すように、音響再生装置の側面部分に回動操作が可能なダイヤルをキー操作部４１として設けるようにすれば良い。
【００６７】
また、キー操作部４１としては、回動操作と押下操作とが可能ないわゆるジョグダイヤルやいわゆるジョイスティックなどと呼ばれる操作レバーなどを用いるようにしてもよい。また、音響再生装置が図２Ａ、Ｂに示したように、表示部の表示画面３４Ｇが比較的に大きな表示領域を有するものである場合には、その表示画面３４Ｇにタッチパネルを貼付し、表示画面３４Ｇに表示される情報とタッチパネルとによってキー操作部４１を構成するようにしてもよい。
【００６８】
そして、図２を用いて説明した種々のキー操作部を設けることにより、使用者の名前などの文字や各種の数字、記号などの入力や、カーソルの移動、項目の選択など種々の情報の入力が可能となる。例えば、文字入力の場合には、各ボタンキーに文字を割り当てておいておくことにより、少ない数のボタンキーによって文字入力を行うことが可能である。また、ダイヤルキーを用いる場合には、ダイヤル部をなぞる操作やダイヤル部を回動操作することにより、文字の選択を可能にし、所定のボタンキーの押下操作、あるいは、ダイヤル部の押下操作を決定操作とすることにより、文字の入力が可能となる。
【００６９】
なお、図２に示したものは、外観や操作部の構成例を示したものである。したがって、音響再生装置は図２に示したものの他にも種々の大きさや形状のものが考えられる。また、キー操作部についても、図２に示したものに限るものではない。例えば、図２Ａ、Ｂに示した例の場合には、さらに側面部分にダイヤルやジョグダイヤル、あるいは、ボタンキー等を設けることもできる。すなわち、キー操作部としては、ボタンキー、ダイヤル、ジョグダイヤル、タッチパネル、ジョイスティック、スライド式の操作スイッチなどの種々の操作部を組み合わせて構成することができる。
【００７０】
［動作テンポに応じて再生する楽曲を変更する場合の音響再生装置の動作（音響再生方法）について］
次に、この実施の形態の音響再生装置において、使用者の動作テンポに応じて再生する楽曲を変更する場合の動作について、図３のフローチャートを参照しながら説明する。なお、必要に応じて、図４〜図８に示す表示部３４の画面３４Ｇに表示される情報や再生可能な楽曲を示す楽曲情報の一例や再生した楽曲の履歴である再生楽曲リストの一例をも参照しながら、この実施の形態の音響再生装置の動作について説明する。
【００７１】
図３は、この実施の形態の音響再生装置において、使用者の動作テンポに応じて再生する楽曲を変更する場合の動作を説明するためのフローチャートである。この実施の形態の音響再生装置においては、以下に詳述するように、音楽データを再生している場合に、所定のタイミング毎に使用者の動作テンポを検出し、再生している音楽データのテンポと、使用者の動作テンポとの差が所定範囲外となった場合に、使用者の動作テンポとの差が所定範囲内のテンポの音楽データに変更できるようにしている。
【００７２】
この実施の形態の音響再生装置を通じて音楽データを再生することにより提供される音楽を聴取しながら、ウォーキングやジョギング等の運動を行うとする当該音響再生装置の使用者が、当該音響再生装置に電源を投入すると、この実施の形態の音響再生装置の制御部１０は、図３に示す処理を実行し、使用者からの個人プロフィール情報の入力を受け付けて、これを取得する（ステップＳ１０１）。
【００７３】
このステップＳ１０１においては、例えば、図４Ａに示すような個人プロフィール情報の入力画面を表示し、キー操作部４１を通じて使用者からの入力を受け付ける。この例の場合、図４Ａに示したように、使用者の、名前、性別、年齢、身長、体重等の使用者の運動量を算出するために必要になる個人プロフィール情報の入力を受け付ける。
【００７４】
そして、制御部１０は、個人プロフィール情報の入力を受け付けると、例えば、図４Ｂに示すように、使用者の名前、性別、年齢、身長、体重、及び、受け付けた身長と体重から算出されるＢＭＩ（Body Mass Index：体重（キロ）÷身長（メートル）の２乗で求められる体容積指数）や肥満度からなる確認画面を表示部３４の画面３４Ｇに表示して、確認入力を求め、正しくない場合には図４Ａに示した入力画面に戻って、修正入力を行うこともできるようにしている。なお、図３においては、このような個人プロフィール情報の修正処理をも含めて、ステップＳ１０１の処理として示している。
【００７５】
次に、この実施の形態の音響再生装置の制御部１０は、任意の音楽データの再生を開始する（ステップＳ１０２）。ここで任意の音楽データは、例えば、使用者が指定した音楽データ、ランダムに選ばれた音楽データ、ある規則によって選ばれた音楽データのいずれであってもよい。
【００７６】
具体的には、この実施の形態の音響再生装置の音楽情報記憶装置部２１の記録媒体には、この音響再生装置において再生可能な多数の音楽データが蓄積されており、例えば、図５に示すように、曲名（タイトル）、曲テンポ、曲の長さ（曲全体の演奏時間）等からなる楽曲情報リスト（再生可能な音楽データの一覧リスト）によって管理されている。
【００７７】
そこで、ステップＳ１０２の楽曲再生開始ステップにおいては、図５に示した楽曲情報リストから使用者によって選択された音楽データを再生したり、また、所定の乱数を用いて図５に示した楽曲情報リストからランダムに選択した音楽データを再生したり、あるいは、図５に示した楽曲情報リストに各楽曲毎の再生回数を更新するようにしておけば、使用頻度の高いものを優先して再生したり、逆に使用頻度の低いものを優先して再生したりすることができる。
【００７８】
なお、ここでは、この実施の形態の音響再生装置が備える音楽情報記憶装置部２１の記憶媒体に記録保持されている音楽データを再生する場合を例にして説明したが、これに限るものではない。上述もしたが、通信Ｉ／Ｆ６１を通じてネットワーク１００に接続し、このネットワーク１００上に存在する音楽データの提供サーバから目的とする音楽データをダウンロードしてきてこれを再生するようにしてもよい。
【００７９】
また、ステップＳ１０２の処理においては、例えば、図６に示すように、再生中の音楽データの曲名、アーティスト名、ジャンル、テンポ等の再生中の音楽データについての情報を表示部３４の表示画面３４Ｇに表示し、使用者に通知することができるようにしている。なお、この実施の形態において、図５に示した楽曲情報リストには、アーティスト名やジャンルなどの情報は存在しないため、これらの情報は、例えば、ネットワーク上のサーバ装置の音楽データベースから曲名などの音楽データの識別情報に基づいて取得するなどのことが可能であるし、また、図５に示した楽曲情報リストに、アーティスト名やジャンルなどの情報を持たせるようにし、これを用いるようにしてもよい。
【００８０】
なお、運動の種類や運動の強度は、例えば後述するステップＳ１０４の処理などにおいて算出されるものである。このため、この実施の形態の音響再生装置において、ステップＳ１０２の処理においては、運動の種類や運動の強度はまだ表示しないようにされる。
【００８１】
そして、この実施の形態の音響再生装置の制御部１０は、運動情報解析回路２３を制御し、運動情報解析回路２３が、運動情報センサ（加速度センサ）２４を通じて使用者の運動情報（センサ検出出力）を取得するようにし（ステップＳ１０３）、これを運動情報解析回路２３が解析することにより、使用者の動作テンポ等を算出する（ステップＳ１０４）。
【００８２】
上述もしたように、この実施の形態の運動情報センサ２４は、３軸の加速度センサによって構成されるものであり、運動情報解析回路２３は、運動情報センサ２４からの検出出力（検出波形）のピーク値の周期を検出したり、検出出力の自己相関を算出してその周期性を検出したり、あるいは、周波数スペクトラム解析を行って、その周期性を検出したりすることによって、使用者の動作テンポを検出する。もちろん、この他の方式を用いて、使用者の動作テンポを検出するようにしてもよい。
【００８３】
また、この実施の形態においては、運動情報センサ２４として３軸の加速度センサを用いているので、その鉛直方向の加速度成分の大きさに基づいて、使用者が行っている運動が、例えば、ウォーキングなのか、ジョギングなのかなどの運動の種類を判別するようにしている。すなわち、詳しくは後述もするが、ウォーキングとジョギングとでは衝撃の大きさが２倍から３倍ほどジョギングの方が大きいことが知られている。このことを利用し、加速度センサからの検出出力の鉛直方向の振幅の大きさによって、使用者が行っている運動が、少なくともウォーキングなのかジョギングなのかを判別するようにしている。
【００８４】
さらに、この実施の形態の音響再生装置においては、ステップＳ１０４の処理において、算出した動作テンポと運動の種類とに基づいて、使用者が行っている運動の強度を示す情報として、ＭＥＴＳ（Metabolic Equivalents）値を求めるようにしている。このＭＥＴＳ値の算出については、詳しくは後述するが、水平移動要素と垂直移動要素とにより求められる運動時酸素摂取量を、予め求められる安静時の酸素消費量で割り算して求められる値である。
【００８５】
そして、使用者の動作テンポ等を算出した後、音響再生装置の制御部１０は、算出した使用者の動作テンポと、再生中の音楽データの楽曲テンポ（曲テンポ）が同じか否かを判断する（ステップＳ１０５）。ここで、曲テンポは、図５に示したように、楽曲情報リストから再生中の音楽データのテンポを参照することにより把握することができる。
【００８６】
など、ステップＳ１０５においては、使用者の動作テンポと再生している音楽データのテンポとが同じか否かをようにしているが、実際には完全に一致することは稀であると考えられるので、使用者の動作テンポと再生している音楽データのテンポとの差が予め決められた範囲内にあるか否かを判断する。使用者の動作テンポと再生している音楽データのテンポとの差が例えば±５の範囲内であれば、使用者の動作テンポと再生している音楽データのテンポとが同じであると判断する。
【００８７】
このように、この実施の形態において、使用者の動作テンポと再生している音楽データのテンポとの差が所定範囲内という場合の「所定範囲」は、予め決められるものであり、使用者によって変更することもできるようにされるものである。例えば、上述したように、使用者の動作テンポとの差が±５以内などのように設定される。
【００８８】
もちろん、上述のように、「所定範囲」は、予め定められるものであるので、差が「０」の場合（完全一致の場合）にのみ、使用者の動作テンポと再生している音楽データのテンポとが同じであると判断するようにしてもよいし、差が±１の場合、差が±２の場合、…というように、適宜の範囲を定めるようにしてもよいことは言うまでもない。
【００８９】
この実施の形態の音響再生装置の制御部１０は、ステップＳ１０５の判断処理において、使用者の動作のテンポと現在再生中の音楽データのテンポが同じであると判断した場合には、現在再生中の音楽データの再生をそのまま継続する（ステップＳ１０６）。なお、このステップＳ１０６の処理においては、ステップＳ１０４において算出した運動の種類や運動の強度を示す情報についても、図６に示した再生中の表示例のように表示する処理をも行う。
【００９０】
一方、音響再生装置の制御部１０は、ステップＳ１０５の判断処理において、使用者の動作のテンポと現在再生中の音楽データのテンポとは同じでないと判断した場合には、使用者の動作テンポとの差が所定範囲内となるテンポの音楽データを例えば図５に示した楽曲情報リストから選択して決定し（ステップＳ１０７）、このステップＳ１０７において決定した音楽データの再生を開始する（ステップＳ１０８）。
【００９１】
このステップＳ１０８においては、新たに再生を開始した音楽データについて、図６に示した再生中の表示例のように、曲名、アーティスト名、ジャンル、テンポ、運動の種類、運動の種類を表示することになる。なお、曲名、テンポは、図５に示した楽曲情報リストから取得できるものであり、アーティスト名、ジャンルは、ネットワーク上のサーバの音楽データベースから取得し、運動の種類、運動の強度は、ステップＳ１０４の処理において算出されたものである。
【００９２】
また、ステップＳ１０８においては、図８に示すような再生楽曲データ（再生楽曲履歴）を更新する処理をも行っている。すなわち、制御部１０は、使用者の動作テンポに応じて再生する音楽データを変更する場合に、それまで再生していた音楽データの曲名、テンポ（曲テンポ）、再生時間、運動の種類、運動の強度からなる履歴情報を、例えば、音楽情報記憶装置部２１あるいは記憶装置部５３に作成される再生楽曲データ（再生楽曲履歴）に追加記録する。
【００９３】
ここで、曲名や曲テンポは、図５に示した楽曲情報リストから取得し、運動の種類と運動の強度とについは、ステップＳ１０４において算出されたものを用い、これらの情報を履歴情報として関連付けてＲＡＭ１３などに一時記憶しておく。また、再生時間は、図示しないが、制御部１０に接続された時計回路を用いて、再生開始から再生終了までの時間を再生時間（再生継続時間）として計測する。そして、一時記憶している履歴情報に対して再生時間も関連付け、曲名、曲テンポ、再生時間、運動の種類、運動の強度からなる再生楽曲データ（再生楽曲履歴）をステップＳ１０８において更新するようにしておく。
【００９４】
このように、この実施の形態の音響再生装置においては、ステップＳ１０５の判断処理において、使用者の動作テンポと再生している音楽データのテンポとの差が所定範囲内にない（所定範囲外である）と判断した場合には、ステップＳ１０７、ステップＳ１０８の一連の処理を通じて、再生する音楽データを変更するようにしている。
【００９５】
なお、使用者の動作テンポとの差が所定範囲内にある音楽データの選択は、音響再生装置の音楽情報記憶装置部２１の記録媒体に記憶保持されているものに限るものではなく、ネットワーク１００上のサーバ装置に設けられている音楽情報データベースから取得、選択して決定するようにしてもよい。
【００９６】
もちろん、音響再生装置の音楽情報記憶装置部２１の記録媒体に記憶保持されている音楽データを優先して選択対象とし、音楽情報記憶装置部２１の記録媒体にテンポが条件に合致する音楽データが存在しない場合に、ネットワーク１００上のサーバ装置の音楽データベースにアクセスするようにしたり、あるいは、音響再生装置の音楽情報記憶装置部２１の記録媒体に記憶保持されている音楽データを使用するか、ネットワーク１００上のサーバ装置の音楽データベースを使用するかを予め使用者によって選択したりしておくことも可能である。
【００９７】
そして、ステップＳ１０６の処理の後、または、ステップＳ１０８の処理の後においては、音響再生装置の制御部１０は、使用者により停止キーが操作されるなど、音楽データの再生が終了するようにされたか否かを判断し（ステップＳ１０９）、再生が終了するようにされていないと判断したときには、ステップＳ１０３からの処理を繰り返すようにする。
【００９８】
ステップＳ１０９の判断処理において、再生が終了するようにされたと判断したときには、音楽データの再生を終了させ、当該音楽データについての図８に示した再生楽曲データ（再生楽曲履歴）を更新すると共に、運動情報解析回路２３を制御して、今回更新した再生楽曲データ（再生楽曲履歴）を含む全ての再生楽曲データ（再生楽曲履歴）や最初に入力を受け付けた個人プロフィール情報に基づいて、使用者の運動量を算出し（ステップＳ１１０）、当該ステップＳ１１０において算出した使用者の運動量を、表示回路３３を介して表示部３４の画面３４Ｇに表示して（ステップＳ１１１）、この図３に示す処理を終了する。
【００９９】
なお、ステップＳ１１０の処理においては、運動時間、歩行距離（移動距離）、平均速度、消費カロリー、脂肪燃焼量といった情報が算出され、これらの情報が、例えば、図７の運動情報の表示例に示したような態様で表示部３４の画面３４Ｇに表示されることになる。
【０１００】
［種々の運動量の算出方法について］
次に、図３に示したステップＳ１１０において行われる種々の運動量の算出処理の一例について具体的に説明する。上述もしたように、ここでは、この実施の形態の音響再生装置によって再生される音楽に合わせて所定の運動を行った場合の種々の運動量を算出する。この算出処理においては、使用者によって入力された体重、身長、年齢、性別などの個人プロフィール情報と、再生した音楽データの再生時間やテンポなどからなる特性情報とに基づいて、使用者が行ったであろう運動の運動量を算出する。
【０１０１】
まず、運動時間であるが、これは音楽データの再生時間と同じである。したがって、再生された音楽データの再生時間を計測して把握しておき、図８に示したように、再生楽曲データとして記憶保持するようにし、再生した音楽データの再生時間を合算することによって、使用者の運動時間を算出することができる。
【０１０２】
次に、歩行距離であるが、これは、個人プロフィール情報と再生された音楽データの特性情報とに基づいて算出することができる。図９は、歩行距離の算出について説明するための図である。図９の（１）式に示すように、ウォーキング時における人間の歩幅は身長の約４５パーセントに相当する長さであることが知られている。また、図９の（２）式に示すように、ジョギング時における人間の歩幅は身長の約５０パーセントに相当する長さであることが知られている。このため、歩行距離（移動距離）は、図９の（３）式に示すように、使用者が行った運動に応じた歩幅と歩数とを掛け合わせることにより求めることが可能である。
【０１０３】
したがって、例えば、図９の最初の例に示したように、身長１７０ｃｍの人がテンポ１２０の音楽に合わせて、２分３０秒間歩いた（ウォーキングした）場合の歩行距離は、図９の（４）式に示したように、まず、身長×０．４５なる演算を行って歩幅を求め、テンポ（１分間あたりの拍数）が１２０の音楽に合わせてウォーキングしているので、１分間に約１２０歩（回）歩いているものとして、歩幅に１２０歩（回）を乗算することにより、１分間あたりの歩行距離が求められ、これに運動時間（運動継続時間）である２分３０秒を乗算することにより、図９の（４）に示すように、歩行距離は２２９．５ｍであると算出することができる。
【０１０４】
また、例えば、図９の二番目の例に示したように、身長１７０ｃｍの人がテンポ１７０の音楽に合わせて、２分３０秒間走った（ジョギングした）場合の歩行距離は、図９の（５）式に示したように、まず、身長×０．５なる演算を行って歩幅を求め、テンポ（１分間あたりの拍数）が１７０の音楽に合わせてジョギングしているので、１分間に約１７０歩（回）歩いているものとして、歩幅に１７０歩（回）を乗算することにより、１分間あたりの歩行距離が求められ、これに運動時間（運動継続時間）である２分３０秒を乗算することにより、図９の（５）式に示すように、歩行距離は３６１．２４ｍであると算出することができる。
【０１０５】
次に、運動時の平均速度であるが、上述のように求めることが可能である運動時間と歩行距離とに基づいて算出可能である。図１０は、運動時の移動の平均速度の算出を説明するための図である。速さは、道のり／時間で求めることができるので、平均速度は、図１０の（６）式に示すように、歩行距離を運動時間で割り算することにより求めることができる。したがって、３ｋｍを３０分で移動した場合の平均速度は、図１０の（７）式に示す演算により、時速６ｋｍ（６ｋｍ／ｈ）であると算出することができる。
【０１０６】
次に、消費カロリー（消費エネルギー）であるが、これには、１分間あたりの消費エネルギーに基づいて算出する方法と、運動ごとに定められる運動強度を示す値であるＭＥＴＳ（Metabolic Equivalents）値を用いて算出する方法とを用いることが可能である。
【０１０７】
図１１は、１分間当たりの消費エネルギーを用いて消費エネルギーを求める場合について説明するための図である。１分間当たりの消費エネルギーＷｍｉｎは、図１１の（８）式に示すように、定数値「３５」に運動時の速度を加算して得た値を、定数値「２０００」に運動者の体重を掛け算した値で割り算することにより求めることができる。このようにして得られる１分間当たりの消費エネルギーＷｍｉｎに運動総時間（分）を掛け算することにより、当該運動総時間分の運動によって消費された消費エネルギー（消費カロリー）を算出することができる。
【０１０８】
そして、図１１に示したように、体重が６８ｋｇの人が、分速１００メートル（１００ｍ／ｍｉｎ）の速度で６０分歩いたときの消費カロリーを求める場合には、まず、図１１の（９）式に示すように、１分間当たりの消費エネルギーＷｍｉｎを求める。そして、図１０の（１０）式に示すように、求めた１分間当たりの消費エネルギーＷｍｉｎに運動総時間である６０分を掛け算することによって、この場合の消費エネルギーのトータルを求めることができる。この例の場合の消費エネルギー（消費カロリー）は、２７５．４ｋｃａｌである。
【０１０９】
また、図１２は、運動ごとに定められる運動強度を示す値であるＭＥＴＳ値を用いて消費エネルギーを求める場合について説明するための図である。ＭＥＴＳ値は、詳しくは後述するが、この実施の形態の音響再生装置においては、図３に示したステップＳ１０４の処理において選択されるものであり、各種の運動毎に予め求められている運動強度を示す値であり、例えば、図１２に示すように、ウォーキングであれば、ＭＥＴＳ値は４〜７、ジョギングであれば、ＭＥＴＳ値は７〜１５が効果的な運動をする場合の値として知られている。
【０１１０】
そして、ＭＥＴＳ値を用いて消費エネルギーを求める場合には、図１２の（１１）式に示すように、運動者の体重とＭＥＳＴＳ値と運動時間とを掛け算することにより求めることができる。例えば、体重６０ｋｇの人が、５ＭＥＴＳの強度の運動を３０分行った場合の消費エネルギー（消費カロリー）は、図１２の（１２）式に示すように、１５０ｋｃａｌと求めることができる。
【０１１１】
例えば、図８に示したように、再生楽曲データ（再生履歴情報）がある場合であって、運動を行った使用者の体重が６０ｋｇであったとすると、図１２の（１３）式に示すように、１５５．５ｋｃａｌと求めることができる。なお、図１２の（１３）式において、最初の値６０は使用者の体重であり、カッコ内の計算は、図８に示した曲Ａ〜曲Ｇまでのそれぞれについて、再生時間と運動の強度とを掛け合わせた値の加算値を求めるためのものであり、最後に割る数である値６０は、再生時間を分単位から時間単位に変換するための値（６０分）である。
【０１１２】
このように、１分間当たりの消費エネルギーを用いることにより、あるいは、運動ごとに定められる運動強度を示す値であるＭＥＴＳ値を用いることにより、運動を行った場合の消費エネルギー（消費カロリー）を求めることができる。図１１、図１２に示したように、消費エネルギーは、運動者の個人プロフィール情報の１つである体重と、この実施の形態の音響再生装置においての音楽データの再生時間と同じと考えることが可能な運動時間（運動継続時間）や、この運動時間を用いることによって算出可能な速度などの情報を用いることによって算出することができる。
【０１１３】
また、脂肪燃焼量は、図１１、図１２を用いて説明した消費エネルギーを用いることによって算出することができる。図１３は、脂肪燃焼量を求める場合について説明するための図である。図１３にも示したように、１ｋｇ（キログラム）の脂肪を燃焼させるためには、約７７００ｋｃａｌのエネルギーが消費されることが知られている。
【０１１４】
このため、脂肪燃焼量を求めるためには、図１３の（１４）式に示したように、消費エネルギー（ｋｃａｌ）を１ｋｇの脂肪を燃焼させるために必要なエネルギーである７７００ｋｃａｌで割り算し、さらに単位合わせのために１０００ｇ（グラム）を掛け算することによって求めることができる。そして、図１２を用いて説明したように、図８に示した再生楽曲リストによって把握されるように運動を行った使用者の消費カロリーは、１５５．５ｋｃａｌであるので、図１３の（１５）式に示すように、２０．１９ｇ（グラム）の脂肪が燃焼されたと算出することができる。
【０１１５】
このように、運動時間、歩行距離、平均速度、消費エネルギー（消費カロリー）、脂肪燃焼量は、この実施の形態の音響再生装置によって再生される音楽を聴きながら運動を行う使用者の個人プロフィール情報と再生された音楽データの特性情報とに基づいて算出することが可能である。そして、図３に示した処理のステップＳ１１０の処理において、図９〜図１３を用いて説明した算出処理を行うことによって、ステップＳ１１１において、図７に示したように表示することによって使用者に通知する運動量情報を算出することができるようにされる。
【０１１６】
［ＭＥＴＳ値について］
ここで、図８に示したように、再生した音楽データ毎に把握され、図１２を用いて説明した消費エネルギーの算出において用いるようにした運動の強度を示すＭＥＴＳ値について説明する。図１４、図１５は、ＭＥＴＳ値について説明するための図である。ＭＥＴＳ値は、図１４の（１６）式に示したように、運動時酸素酸素摂取量を安静時酸素摂取量で割り算することによって得られる値である。
【０１１７】
図１４にも示したように、安静時の酸素消費量（安静時酸素摂取量）を「Ｒ」、水平方向に移動を伴うときの酸素摂取量である水平移動要素を「Ｈ」、垂直方向に移動を伴うときの酸素摂取量である垂直移動要素を「Ｖ」とする。なお、ウォーキング時の水平移動要素は、図１４の（１８）式に示したように、（０．１×速度）で求めることができ、ランニング時の水平移動要素は、図１４の（１９）式に示したように、（０．２×速度）で求めることができる。また、垂直運動要素は、図１４の（２０）式に示したように、（０．９×速度×傾き）で求めることができる。
【０１１８】
そして、運動時酸素摂取量は、図１４の（１７）式に示したように、（Ｒ＋Ｈ＋Ｖ）として求めることができ、安静時酸素摂取量は、上述もしたようにＲで表されるので、ＭＥＴＳ値は、図１４の（１６）式にも示したように、（Ｒ＋Ｈ＋Ｖ）／Ｒという演算を行うことによって、求めることができるものである。なお、図１４にも示したように、１ＭＥＴＳは、３．５ｍｌ／ｋｇ・ｍｉｎ（ミリリットル／キログラム・分）の酸素消費量に相当し、安静時の酸素消費量と同じである。
【０１１９】
次に、上述したＭＥＴＳ値の具体的な計算例について説明する。図１５に示すように、２つの例について考える。まず、時速６ｋｍ／ｈのウォーキングのＭＥＴＳ値を算出する場合を考える。図１４を用いて説明したように、ＭＥＴＳ値は、安静時酸素摂取量Ｒ、水平移動要素Ｈ、垂直移動要素Ｖが分かれば計算できる。安静時酸素摂取量Ｒは、図１４にも示したように、３．５ｍｌ／ｋｇ・ｍｉｎであると分かっているので、水平移動要素Ｈと垂直移動要素Ｖが分かればＭＥＴＳ値を計算できる。
【０１２０】
そして、水平移動要素Ｈは、ウォーキングの場合、図１４の（１８）式に示したように、（０．１×分速）で求めることができる。したがって、時速６ｋｍ／ｈのウォーキングの場合の分速は、１００ｍ／ｍｉｎであるので、水平移動要素Ｈは、図１５の（２１）式によって、１０．０ｍｌ／ｋｇ・ｍｉｎであると算出することができる。一方、垂直移動要素Ｖは、図１４の（２０）式に示したように、（０．９×分速×傾き）で求められる。しかし、平坦な場所でのウォーキングの場合、運動時において一般に傾きが生じることは無いので、図１５の（２２）式に示したように、傾き＝０ｒａｄ（％）となり、垂直移動要素Ｖは０（ゼロ）ということになる。
【０１２１】
このようにして求められる、安静時酸素摂取量Ｒ、水平移動要素Ｈ、垂直移動要素Ｖを、図１５の（２３）式に示すように加算することにより、運動時酸素摂取量を求めることができ、これを図１５の（２４）式に示すように、安静時酸素摂取量Ｒで割り算することによって、「３．９」というＭＥＴＳ値を求めることができる。すなわち、時速６ｋｍ／ｈのウォーキングのＭＥＴＳ値は、「３．９」であることが求められる。
【０１２２】
次に、時速１０ｋｍ／ｈのジョギングのＭＥＴＳ値を算出する場合を考える。この場合にも、上述したウォーキングの場合と同様に、安静時酸素摂取量Ｒは既に分かっているので、水平移動要素Ｈ、垂直移動要素Ｖが分かればＭＥＴＳ値を算出することができる。そして、時速１０ｋｍ／ｈのランニング時の分速は、１６６．７ｍ／ｍｉｎであるので、水平移動要素Ｈは、図１５の（２５）式に示すように、３３．３４ｍｌ／ｋｇ・ｍｉｎであると算出することができる。
【０１２３】
一方、ランニングの場合にも、ウォーキングの場合と同様に、運動時において一般に傾きが生じることは無いので、図１５（２６）式に示したように、傾き＝０ｒａｄ（％）となり、垂直移動要素Ｖは０（ゼロ）ということになる。
【０１２４】
このようにして求められる、安静時酸素摂取量Ｒ、水平移動要素Ｈ、垂直移動要素Ｖを、図１５の（２７）式に示すように加算することにより、運動時酸素摂取量を求めることができ、これを図１５の（２８）式に示すように、安静時酸素摂取量Ｒで割り算することによって、「１０．５」というＭＥＴＳ値を求めることができる。すなわち、時速１０ｋｍ／ｈのランニングのＭＥＴＳ値は、「１０．５」であることが求められる。
【０１２５】
このように、運動の種類毎に、その運動を行った場合の運動強度であるＭＥＴＳ値を求めることができる。そして、上述したように求められるＭＥＴＳ値を用いて消費エネルギー求める場合には、図１２の（１１）式に示したように、体重×ＭＥＴＳ値×運動時間で求めることができる。
【０１２６】
そして、図１６に示すように、時速１０ｋｍ／ｈ（分速１６６．７ｍ／ｍｉｎ）で体重６０ｋｇの人が平坦な所を３０分走った場合の消費エネルギー（消費カロリー）を、ＭＥＴＳ値を用いて算出する場合を考える。この場合には、図１６の（２９）式に示すように、まず、（３．５＋１６６．７×０．２）／３．５なる演算を行うことにより、ＭＥＴＳ値を求め、このＭＥＴＳ値と、体重（６０ｋｇ）と、時間（（３０／６０）時間）とを掛け算することにより、消費エネルギーを「３１５．７７ｋｃａｌ」と算出することができる。
【０１２７】
なお、ＭＥＴＳ値を用いた消費エネルギーの算出式を詳細に示すと、図１７のように示すことができる。例えば、ウォーキングした場合について考える。まず、１回の運動の速度（一歩あるくために係る速度）Ｖｉは、図１７の（３０）式に示したように、歩幅Ｗｗを１回の運動時間（一歩あるくためにかかる時間）Ｔｉで割り算することにより求めることができる。
【０１２８】
１回の運動の速度Ｖｉが分かれば、図１４を用いて説明したように、水平移動要素を求めることができる。なお、傾斜のある場所での運動の場合には、その傾きが分かれば、垂直移動要素も算出可能である。しかし、平坦な場所でのウォーキングの場合、通常、傾きが生じることはないので、水平移動成分が分かれば、図１４の（１７）式にしたがって、１回の運動のＭＥＴＳ値を求めることができる。
【０１２９】
そして、図１７の（３１）式に示すように、体重Ｗｅｉｇｈｔと、１回の運動の速度Ｖｉから求めたＭＥＴＳ値ＭＥＴＳ（Ｖｉ）と、一回の運動の時間Ｔｉとを掛け算したものの運動時間分の合計をとることによって、運動によって消費した消費エネルギーを計算することができる。なお、図１７の（３１）式をまとめると、図１７の（３２）式のように示すことができる。
【０１３０】
なお、ＭＥＴＳ値の代表的なものを上げると、時速３．２ｋｍ／ｈのウォーキングのＭＥＴＳ値は２〜３であり、時速４．８ｋｍ／ｈのウォーキングのＭＥＴＳ値は３〜４であり、時速６．４ｋｍ／ｈのウォーキングのＭＥＴＳ値は５〜６であり、時速８ｋｍ／ｈのウォーキングのＭＥＴＳ値は６〜７である。
【０１３１】
また、時速８ｋｍ／ｈのジョギングのＭＥＴＳ値は７〜８であり、時速１０ｋｍ／ｈのジョギングのＭＥＴＳ値は１１であり、時速１２ｋｍ／ｈのジョギングのＭＥＴＳ値は１２．５である。この他、種々の運動についてＭＥＴＳ値が求められているが、サイクリング、エアロビックダンス、縄跳び、ラケットボールなどは比較的にＭＥＴＳ値が高い運動である。
【０１３２】
このように、運動を行った使用者の体重、身長、歩幅などの個人プロフィール情報と、運動実行時に再生された音楽のテンポなどの属性情報が分かれば、その使用者の運動量などの運動情報を簡単かつ迅速に、しかも正確に求めて、運動を行った使用者に提供したり、これを保存して分析したりするなどのことができるようにされる。また、個人プロフィール情報として、年齢や性別などの詳細な情報を有している場合には、より詳細かつ正確に運動情報を算出し、これを利用することができるようにされている。
【０１３３】
［動作テンポと運動の種類の判別について］
次に、この実施の形態の音響再生装置の運動情報解析回路２３において行われる動作テンポの算出と運動の種類の判別について説明する。図１８は、運動センサ２４として設けられた３軸の加速度センサの鉛直方向の出力を示す図であり、図１８において、横軸は時間（秒）、縦軸は、例えば電圧（ミリボルト）である。
【０１３４】
運動情報解析回路２３は、図１８に示したような運動センサ２４からの検出出力を得て、この検出出力（検出波形）のピーク値の周期を検出することにより、動作テンポを検出することができる。より具体的には、運動センサ２４からの検出出力の自己相関を算出することにより、ノイズ成分を除去するようにした後に、ピーク値を特定し、その周期を求めることにより、正確に運動テンポを検出（算出）することができる。
【０１３５】
また、図１８に示したように、ウォーキング時とジョギング時とでは、鉛直方向の加速度成分の大きさは、２倍から３倍ほどジョギング時の方が大きくなるため、これを利用し、鉛直方向の振幅値によって、使用者が行っている運動がウォーキングなのかジョギングなのかを判別することができる。
【０１３６】
また、一般に、音楽を聴きながら使用者が行う運動は、多くの場合、ウォーキングやジョギングであるが、例えば、自転車こぎや縄跳びなどの運動についても、運動センサ２４の検出出力の特徴を把握し、その特徴を検出することが可能である。
【０１３７】
なお、自動的に検出できない運動については、使用者自身が行う運動の種類や運動強度をキー操作部を通じて入力したり選択したりすることにより、この実施の形態の音響再生装置に入力し、これを用いるようにすることができる。
【０１３８】
上述のように、この実施の形態の音響再生装置を用いて音楽を聴取しながら運動を行うようにすると、使用者の行っている運動のテンポ（動作テンポ）を検出して、その動作テンポに応じたテンポの音楽データを再生するように、再生する音楽データを随時に変更することができる。
【０１３９】
このように、使用者が行う運動（ウォーキング、ジョギング、ランニング、筋力トレーニングなど）の動作のテンポ（動作テンポ）の変化を検出し、動作テンポに応じたテンポの楽曲（音楽データ）を選択再生することにより、再生している音楽データの再生テンポを変更するのではなく、使用者の運動テンポに応じたテンポの音楽データを常に再生することができるので、違和感を生じさせること無く、動作（運動）と再生される楽曲との一体感を与えるようにすることができる。なお、ここで、動作テンポに応じたテンポの楽曲とは、動作テンポとの差が所定範囲内であるテンポの楽曲を意味している。
【０１４０】
また、運動と合わせて再生した楽曲情報から使用者の行った運動量情報を求めて、これを使用者に提示することにより、使用者に運動の動機付けを行ったり、無理なく運動を継続できるようにしたり、また、運動量の管理を支援することができるなど、高機能な携帯型の音響再生装置および音響再生方法を提供することができる。
【０１４１】
［動作テンポに応じて再生する楽曲を変更する場合の音響再生装置の動作（音響再生方法）の他の例について］
図３を用いて説明した使用者の動作テンポに応じて再生する楽曲を変更する場合の音響再生装置の動作の場合には、まず、音楽データを再生して使用者に音楽を提供し、これに応じて運動を開始した使用者の動作テンポを順次に検出して、使用者の動作テンポに応じて再生する音楽データを変更するようにした。このようにすることによって、最初に再生される音楽データによる音楽によって、使用者がスムーズに運動を開始させることができる。
【０１４２】
しかし、初めから使用者が行っている運動の動作テンポに応じた音楽データを再生したい場合もある。このようにすれば、初めから使用者の動作テンポよりも非常に早いテンポの音楽データや非常に遅いテンポの音楽データが再生されることを防止し、音楽データの再生当初から使用者の動作テンポに応じた音楽データを再生させることが可能となる。
【０１４３】
そこで、以下に説明する方法の場合には、まず、使用者が運動を開始し、その運動の動作テンポを検出して、その検出した動作テンポに応じた音楽データから再生を開始するようにしたものである。なお、この他の例の場合にも、音響再生装置は、図１〜図１８を用いて説明したものと同様に構成され、同様の機能を有するものであり、以下に説明するように、主に制御部１０において実行される処理プログラムが異なるだけである。
【０１４４】
図１９は、音響再生装置の動作の他の例を説明するためのフローチャートである。この実施の形態の音響再生装置を通じて音楽データを再生することにより提供される音楽を聴取しながら、ウォーキングやジョギング等の運動を行うとする当該音響再生装置の使用者が、当該音響再生装置に電源を投入すると、この実施の形態の音響再生装置の制御部１０は、図１９に示す処理を実行し、使用者からの個人プロフィール情報の入力を受け付けて、これを取得する（ステップＳ２０１）。ステップＳ１０１の処理においては、図３に示したステップＳ１０１の処理と同様に、図４に示した個人プロフィール情報の入力画面や確認画面に対する情報の入力を、キー操作部４１を通じて受け付けることによって行われる。
【０１４５】
そして、使用者は、音楽データの再生に先立ってウォーキングやジョギング等の目的とする運動を目的とする動作テンポで開始するので、制御部１０は、運動情報解析回路２３を制御し、運動情報センサ（加速度センサ）２４を通じて使用者の運動情報（センサ検出出力）を取得するようにし（ステップＳ２０２）、これを運動情報解析回路２３が解析することにより、使用者の動作テンポ等を算出する（ステップＳ２０３）。このステップＳ２０２及びステップＳ２０３の処理は、図３に示したステップＳ１０３及びステップＳ１０４の処理と同様の処理である。
【０１４６】
このようにして、使用者の動作テンポを算出した後、この実施の形態の音響再生装置の制御部１０は、音楽再生データ生成装置部２２を制御して、例えば、図５に示した楽曲情報リストを参照し、使用者の動作テンポとの差が所定範囲内であるテンポの音楽データを、音楽情報記憶装置部２１の記録媒体に記憶保持されている音楽データの中から選択して決定し（ステップＳ２０４）、この決定した音楽データを音声信号出力処理部３１に供給してその再生を開始する（ステップＳ２０５）。
【０１４７】
このようにすることによって、音楽データの再生当初から、運動を行っている使用者の動作テンポに応じたテンポの音楽データ（使用者の動作テンポとの差が所定範囲内であるテンポの音楽データ）を選択して再生することができる。
【０１４８】
この後の処理は、図３に示した処理のステップＳ１０３〜ステップＳ１１１の処理と同様である。すなわち、この実施の形態の音響再生装置の制御部１０は、再度、運動情報解析回路２３を制御し、運動情報解析回路２３が、運動情報センサ（加速度センサ）２４を通じて使用者の運動情報（センサ検出出力）を取得するようにし（ステップＳ２０６）、これを運動情報解析回路２３が解析することにより、使用者の動作テンポ等を算出する（ステップＳ２０７）。このステップＳ２０６及びステップＳ２０７の処理は、上述したステップＳ２０２及びステップＳ２０３の処理と同様の処理である。
【０１４９】
そして、使用者の動作テンポ等を算出した後、音響再生装置の制御部１０は、算出した使用者の動作テンポと、再生中の音楽データの楽曲テンポ（曲テンポ）が同じか否かを判断する（ステップＳ２０８）。このステップＳ２０８においても、使用者の動作テンポと再生している音楽データのテンポとの差が予め決められた範囲内にあるか否かを判断する。
【０１５０】
ステップＳ１０５の判断処理において、使用者の動作のテンポと現在再生中の音楽データのテンポが同じであると判断した場合には、この実施の形態の音響再生装置の制御部１０は、現在再生中の音楽データの再生をそのまま継続する（ステップＳ２０９）。なお、このステップＳ２０９の処理においては、ステップＳ２０７において算出した運動の種類や運動の強度を示す情報についても、図６に示した再生中の表示例のように表示する。
【０１５１】
一方、音響再生装置の制御部１０は、ステップＳ２０８の判断処理において、使用者の動作のテンポと現在再生中の音楽データのテンポとは同じでないと判断した場合には、使用者の動作テンポとの差が所定範囲内となるテンポの音楽データを例えば図５に示した楽曲情報リストから選択して決定し（ステップＳ２１０）、このステップＳ２１０において決定した音楽データの再生を開始する（ステップＳ２１１）。
【０１５２】
このステップＳ２１１においては、新たに再生を開始した音楽データについて、図６に示した再生中の表示例のように、曲名、アーティスト名、ジャンル、テンポ、運動の種類、運動の種類を表示することになる。なお、曲名、テンポは、図５に示した楽曲情報リストから取得できるものであり、アーティスト名、ジャンルは、ネットワーク上のサーバの音楽データベースから取得し、運動の種類、運動の強度は、ステップＳ２０３あるいはステップＳ２０７の処理において算出されたものである。
【０１５３】
また、ステップＳ２１１においては、図８に示すような再生楽曲データ（再生楽曲履歴）を更新する処理をも行っている。すなわち、制御部１０は、使用者の動作テンポに応じて再生する音楽データを変更する場合に、それまで再生していた音楽データの曲名、テンポ（曲テンポ）、再生時間、運動の種類、運動の強度からなる履歴情報を、例えば、音楽情報記憶装置部２１あるいは記憶装置部５３に作成される再生楽曲データ（再楽曲履歴）に追加記録する。
【０１５４】
ここで、曲名や曲テンポは、図５に示した楽曲情報リストから取得し、運動の種類と運動の強度とについは、ステップＳ２０３、ステップＳ２０７において算出されたものを、それぞれ履歴情報として関連付けてＲＡＭ１３などに保持しておき、また、再生時間は、図示しないが、制御部１０に接続された時計回路を用いて、再生開始から再生終了までの時間を再生時間（再生継続時間）として計測して、これら、曲名、曲テンポ、再生時間、運動の種類、運動の強度からなる再生楽曲データ（再生楽曲履歴）をステップＳ２１１において更新するようにしておく。
【０１５５】
このように、この実施の形態の音響再生装置においては、ステップＳ２０８の判断処理において、使用者の動作テンポと再生している音楽データのテンポとの差が所定範囲内にない（所定範囲外である）と判断した場合には、ステップＳ２１０、ステップＳ２１１の一連の処理を通じて、再生する音楽データを変更するようにしている。
【０１５６】
なお、使用者の動作テンポとの差が所定範囲内にある音楽データの選択は、音響再生装置の音楽情報記憶装置部２１の記録媒体に記憶保持されているものに限るものではなく、ネットワーク１００上のサーバ装置に設けられている音楽情報データベースから取得、選択して決定するようにしてもよい。
【０１５７】
もちろん、音響再生装置の音楽情報記憶装置部２１の記録媒体に記憶保持されている音楽データを優先して選択対象とし、音楽情報記憶装置部２１の記録媒体にテンポが条件に合致する音楽データが存在しない場合に、ネットワーク１００上のサーバ装置の音楽データベースにアクセスするようにしたり、あるいは、音響再生装置の音楽情報記憶装置部２１の記録媒体に記憶保持されている音楽データを使用するか、ネットワーク１００上のサーバ装置の音楽データベースを使用するかを予め使用者によって選択したりしておくことも可能である。
【０１５８】
そして、ステップＳ２０９の処理の後、または、ステップＳ２１１の処理の後においては、音響再生装置の制御部１０は、使用者により停止キーが操作されるなど、音楽データの再生が終了するようにされたか否かを判断し（ステップＳ２１２）、再生が終了するようにされていないと判断したときには、ステップＳ２０６からの処理を繰り返すようにする。
【０１５９】
ステップＳ２１２の判断処理において、再生が終了するようにされたと判断したときには、音楽データの再生を終了させ、当該音楽データについての図８に示した再生楽曲データを更新すると共に、運動情報解析回路２３を制御して、今回更新した再生楽曲データ（再生楽曲履歴）を含む全ての再生楽曲データ（再生楽曲履歴）や最初に入力を受け付けた個人プロフィール情報に基づいて、使用者の運動量を算出し（ステップＳ２１３）、当該ステップＳ２１３において算出した使用者の運動量を表示部３１の表示画面に表示して（ステップＳ２１４）、この図１９に示す処理を終了する。
【０１６０】
なお、ステップＳ２１３の運動量の算出処理は、図３に示したステップＳ１１０の処理と同様の処理であり、図９〜図１７を用いて説明した処理と同様に行われる。また、ステップＳ２１４の処理においては、運動時間、歩行距離（移動距離）、平均速度、消費カロリー、脂肪燃焼量といった情報が算出され、これらの情報が、例えば、図７の運動情報の表示例に示したような態様で表示部３４の画面３４Ｇに表示される。
【０１６１】
このように、図１９に示したこの実施の形態の音響再生装置の動作の他の例の場合には、音楽データの再生当初から運動を行っている使用者の動作テンポに応じたテンポの音楽データを再生して使用者に提供することができる。これにより、使用者の動作テンポとの差が所定範囲外のテンポの音楽データが再生されることはないので、再生される音楽データが使用者の行う運動のテンポを乱すこともない。
【０１６２】
［目標とする運動量に到達するまで、再生すべき音楽データを自動選曲して再生する機能を用いる場合の音響再生装置の動作（音響再生方法）について］
次に、この実施の形態の音響再生装置において、使用者が目標とする運動量に到達するまでの間において、再生すべき楽曲を自動選曲して再生する場合の動作について、図２０のフローチャートを参照しながら説明する。なお、必要に応じて、先に用いた図４（個人プロフィールに関連する表示情報）、図５（楽曲情報リスト）、図８（再生楽曲データ（再生楽曲履歴）や、図２１、図２２に示す表示部３４の画面３４Ｇに表示される情報をも参照しながら、この例の場合の音響再生装置の動作について説明する。
【０１６３】
図２０は、この実施の形態の音響再生装置において、使用者が目標とする運動量に到達するまでの間において、再生すべき楽曲を自動選曲して再生する場合の動作を説明するためのフローチャートである。
【０１６４】
この実施の形態の音響再生装置を通じて音楽データを再生することにより提供される音楽を聴取しながら、ウォーキングやジョギング等の運動を行うとする当該音響再生装置の使用者が、当該音響再生装置に電源を投入し、例えば、表示部３４の表示画面３４Ｇに表示されるメニューを通じて、使用者が目標とする運動量に到達するまでの間において、再生すべき楽曲を自動選曲する機能を選択すると、この実施の形態の音響再生装置の制御部１０は、図２０に示す処理を実行する。
【０１６５】
そして、制御部１０は、まず、キー操作部４１を通じて、使用者からの個人プロフィール情報の入力を受け付けて、これを取得する（ステップＳ３０１）。このステップＳ３０１においては、図３に示したステップＳ１０１の処理の場合と同様に、例えば、図４Ａに示した個人プロフィール情報の入力画面を表示し、キー操作部４１を通じて使用者からの入力を受け付ける。この例の場合、図４Ａに示したように、使用者の、名前、性別、年齢、身長、体重等の使用者の運動量を算出するために必要になる個人プロフィール情報の入力を受け付ける。
【０１６６】
そして、制御部１０は、個人プロフィール情報の入力を受け付けると、例えば、図４Ｂに示すように、使用者の名前、性別、年齢、身長、体重、及び、受け付けた身長と体重から算出されるＢＭＩ（Body Mass Index：体重（キロ）÷身長（メートル）の２乗で求められる体容積指数）や肥満度からなる確認画面を表示部３４の画面３４Ｇに表示して、確認入力を求め、正しくない場合には図４Ａに示した入力画面に戻って、修正入力を行うこともできるようにしている。なお、この図２０においても、このような個人プロフィール情報の修正処理をも含めて、ステップＳ３０１の処理として示している。
【０１６７】
次に、制御部１０は、キー操作部４１を通じて、使用者からの目標とする運動量（目標運動量）の入力を受け付けて、これを取得する（ステップＳ３０２）。目標運動量としては、運動時間（運動継続時間）、例えばＭＥＴＳ値などの運動強度、運動距離（移動距離）、歩数、消費カロリー、脂肪燃焼量などを用いることが可能であるが、ここでは説明を簡単にするため、目標運動量として消費カロリーを用いる場合を例にして説明する。
【０１６８】
図２１は、目標運動量の入力画面を説明するための図である。図２１Ａは、例えば、図２Ａ、図２Ｂに示したように、表示画面３４Ｇが比較的に大きな表示部３４を有する音響再生装置の場合の目標運動量の入力画面の例であり、図２１Ｂは、例えば、図２Ｃに示したように、表示画面３４Ｇが比較的に小さな表示部３４を有する音響再生装置の場合の目標運動量の入力画面の例である。
【０１６９】
図２１Ａの場合には、「カロリーシャッフル」という実行機能名が表示されると共に、「目標カロリーは？」という文字列に続いて、目標カロリーの入力欄（図２１Ａにおいては、１００ｋｃａｌと記載されている部分）が設けられ、目標カロリーの入力ができるようにされると共に、「よろしいですか？」という文字列に続いて、確認入力欄（図２１Ａにおいては、「はい」、「いいえ」と記載された部分）が設けられ、入力した目標カロリーの入力確認を行うことができるようにしている。すなわち、まず、目標カロリーの入力を受け付け、次に、確認入力を受け付けて、よければ次の処理に進むが、よくない場合には、再度の目標カロリーの入力を受け付けることができるようにしている。
【０１７０】
また、図２１Ｂの場合には、「カロリーシャッフル」という実行機能名が表示されると共に、目標カロリーの表示欄（図２１Ｂにおいては、１００．０ｋｃａｌと記載されている部分）が設けられ、その上側に上矢印３４ＵＰ、下側に下矢印３４ＤＷが表示され、目標カロリーの表示値を変更することができることを示している。そして、図２１Ｂの例の場合には、例えば、図２Ｃに示したように、側面に設けられるダイヤル型のキー操作部４１を操作することにより、目標カロリーの表示値を変更することができるようにされる。また、この例の場合にも、所定のキー操作を行うことにより、確認入力を行うこともできるようにされる。
【０１７１】
そして、制御部１０は、例えば、図５を用いて説明したように、音楽情報記憶装置部２１の記録媒体に作成されている再生可能な楽曲の一覧リストである楽曲情報リストに基づいて、再生する音楽データ（楽曲）を選択し、これを再生する処理を行う（ステップＳ３０３）。このステップＳ３０３においての音楽データの選択処理は、例えば、乱数などを用いてランダムに選曲したり、また、詳しくは後述するが、再生履歴に基づいて、例えば、使用頻度の多いものや逆に使用頻度のすくないものなどを優先して選択したりするなど、種々の選択方式を用いることが可能である。
【０１７２】
また、ステップＳ３０３において、音楽データが再生するようにされた後においては、当該音響再生装置の表示部３４の表示画面３４Ｇに音楽データの再生中表示がされる。図２２は、音楽データを再生している場合において、音響再生装置の表示部３４の表示画面３４Ｇに表示される再生中表示の表示例を説明するための図である。
【０１７３】
図２２Ａは、例えば、図２Ａ、図２Ｂに示したように、表示画面３４Ｇが比較的に大きな表示部３４を有する音響再生装置の場合の音楽データの再生中表示の表示例であり、図２２Ｂは、例えば、図２Ｃに示したように、表示画面３４Ｇが比較的に小さな表示部３４を有する音響再生装置の場合の音楽データの再生中表示の表示例である。
【０１７４】
図２２Ａの場合には、再生するようにされた音楽データ（楽曲）の曲名やテンポ等の情報が、楽曲情報リストに基づいて表示される。もちろん、アーティスト名、ジャンルなどの情報についても、楽曲情報リストに存在するか、あるいは、ネットワーク１００などを通じて取得可能な場合には、図２２Ａに示したようにそれらの情報を表示することも可能である。さらに、図２２Ａの場合には、再生するようにされた音楽データに合わせて運動を行った場合において、後述するステップＳ３０４において算出するようにする運動の種類、消費カロリー、運動距離、歩数などの情報を表示することもできるようにされる。
【０１７５】
また、図２２Ｂの場合には、再生するようにされた音楽データ（楽曲）の曲名、ウォーキング（Walk）を行った場合とジョギング（Jog）を行った場合とにおける単位時間（例えば１分）あたりの予測消費カロリー）、さらに、図２２Ｂの場合においても、再生するようにされた楽曲に合わせて運動を行って場合において、後述するステップＳ３０４において算出するようにする消費カロリーなどの情報を表示することもできるようにされる。もちろん、この図２２Ｂの場合においても、アーティスト名などの情報についても、楽曲情報リストに存在するか、あるいは、ネットワーク１００などを通じて取得可能な場合には、図２２Ｂに示したように表示することも可能である。
【０１７６】
次に、制御部１０は、運動情報解析回路２３を制御し、運動情報センサ２４からの検出出力を解析し、例えば、ウォーキングか、ジョギングか、ランニングかなどの運動の種類、運動速度、運動回数（歩数）などを求めて、再生中の音楽データに合わせて運動を行った場合の実運動量、この例の場合には消費カロリーを算出して累積するようにする（ステップＳ３０４）。
【０１７７】
ここで、運動の種類、運動速度、運動回数などの算出は、上述もしたように、運動情報センサ２４が３軸の加速度センサであった場合には、鉛直方向の加速度成分の大きさ（例えば、ウォーキングとジョギングとでは衝撃の大きさが２倍から３倍ほどジョギングの方が大きい）や周期などを利用して行い、また、運動の継続時間は、音楽データの再生時間を用いることができる。このようにして算出した運動情報を用い、図９〜図１２を用いて説明した方法を利用することにより、実運動量としての消費カロリーを算出し、これを累積して行くようにすることによって、運動開始時点からの実運動量としての消費カロリーを求めることができる。
【０１７８】
そして、制御部１０は、再生中の楽曲が終了する直前に、ステップＳ３０４において求めた運動量（消費カロリーの累積値）が、ステップＳ３０２において受け付けた目標運動量（目標カロリー）に到達したか否かを判断する（ステップＳ３０５）。ステップＳ３０５の判断処理において、ステップＳ３０４において求めた消費カロリーの累積値が、ステップＳ３０２において受け付けた目標カロリーに到達していないと判断したときには、ステップＳ３０２からの処理を繰り返すようにし、新たに再生する楽曲を選択して再生し、運動を継続させるようにする。
【０１７９】
なお、ステップＳ３０２における楽曲の選択は、予め決められた方式で再生する楽曲を選択するようにしてもよいし、全くランダムに選択するようにしてもよい。また、詳しくは後述もするが、再生した楽曲の履歴情報（再生楽曲データ）に基づいて再生すべき楽曲を選択することも可能である。
【０１８０】
ステップＳ３０５の判断処理において、ステップＳ３０５の判断処理において、ステップＳ３０４において求めた消費カロリーの累積値が、ステップＳ３０２において受け付けた目標カロリーに到達したと判断したときには、楽曲の再生を終了し（ステップＳ３０６）、運動情報・再生楽曲情報を例えば記録装置部５３の記録媒体に記録し保存する（ステップＳ３０７）。
【０１８１】
ステップＳ３０７の処理において保存する運動情報・再生楽曲情報は、種々の情報を種々の態様で保存するようにすることが可能である。しかし、この例の場合にも、例えば、図８を用いて説明したように、運動開始から目標とする消費カロリー分の運動を終了するまでの間において、再生した楽曲毎に、楽曲名、テンポ、再生時間、使用者が行った運動の種類、その運動についての運動強度（ＭＥＴＳ値）を運動情報・再生楽曲情報として、すなわち履歴情報として例えば記憶装置部５３の記録媒体に記録する。
【０１８２】
そして、目標とする消費カロリーを消費するための運動毎の履歴情報に基づいて、例えば、図２５に示すように、比較的に長期間に渡って、楽曲毎に、再生時間、消費カロリー、歩数、運動距離の累積値を求めるようにしてもよい。この場合、再生時間の累積値は、楽曲毎にその再生時間を累積すれば得られる。また、消費カロリーの累積値は、図１２に示した（１１）式にしたがって、個人プロファイル情報の体重と、ＭＥＴＳ値と、運動時間（楽曲の再生時間）とに基づいて求めた値を累積することにより得られる。
【０１８３】
また、歩数の累積値は、楽曲のテンポと運動時間（楽曲の再生時間）との積をあるいは、運動センサからの検出出力のピーク数を累積することにより得られ、運動距離の累積値は、図９に示した（４）式や（５）式にしたがって求めた値を累積することにより得られる。なお、消費カロリーの累積値については、ＭＥＴＳ値を用いるのではなく、図９〜図１１に示した計算式により求めた値を累積することによっても得ることが可能である。
【０１８４】
なお、ここでは、図８に示したように、再生した楽曲毎に、楽曲名、テンポ、再生時間、使用者が行った運動の種類、その運動についての運動強度（ＭＥＴＳ値）を保存するようにしたが、これに限るものではない。運動強度（ＭＥＴＳ値）の代わりに、再生した楽曲毎に、消費カロリー、歩数、運動距離を求めて、これを保存するようにしてもよい。この場合には、例えば図２５に示すような累積した履歴情報を作成する場合に、消費カロリー、歩数、運動距離を一々計算してから累積する処理を行わなくても済む。
【０１８５】
この後、制御部１０は、運動情報を表示部３４の表示画面３４Ｇに表示し（ステップＳ３０８）、この図２０に示す処理を終了する。図２３は、図２０のステップＳ３０８においての運動情報表示の具体例を説明するための図である。ここでは、例えば、図２Ｃに示したように、表示画面３４Ｇが比較的に小さな表示部３４を有する音響再生装置における運動情報の表示例について説明する。
【０１８６】
図２３Ａは、今日行った運動によって消費した消費カロリー（最上段に表示された情報）と、その内訳として、ウォーキングによって消費した消費カロリー（中段に表示された情報）と、ランニングによって消費した消費カロリー（最下段に表示された情報）を表示するようにした場合の例である。なお、図２３Ａの場合には、今日行った運動によって消費した消費カロリーを表示するものとして説明したが、要は１日単位の消費カロリーの表示例であり、指定した日の消費カロリーを表示する場合にも同様にして表示することが可能である。
【０１８７】
図２３Ｂは、今月行った運動によって消費した消費カロリー（最上段に表示された情報）と、その内訳として、ウォーキングによって消費した消費カロリー（中段に表示された情報）と、ランニングによって消費した消費カロリー（最下段に表示された情報）を表示するようにした場合の例である。なお、図２３Ｂの場合には、今月行った運動によって消費した消費カロリーを表示するものとして説明したが、要は１月単位の消費カロリーの表示例であり、指定した月の消費カロリーを表示する場合にも同様にして表示することが可能である。
【０１８８】
図２３Ｃは、日別の消費カロリーをヒストグラム表示するようにした場合の例を説明するための図である。図２３Ｃの例の場合には、日別の消費カロリーをヒストグラムを複数日分（図２３Ｃの例の場合には１週間分）表示するようにしたものである。このようにすることによって、日別の消費カロリーの変化を一目で確認することができる。
【０１８９】
なお、図２３Ｃの場合には、１週間分の日別の消費カロリーのヒストグラム表示を行う場合を例にしたが、これに限るものではない。例えば、３日分、５日分、６日分、１０日分などのように、表示画面３４Ｇの大きさが許す範囲で、任意の日数分の日別の消費カロリーのヒストグラムを表示することが可能である。
【０１９０】
図２３Ｄは、月別の消費カロリーをヒストグラム表示するようにした場合の例を説明するための図である。図２３Ｄの例の場合には、月別の消費カロリーをヒストグラムを複数月分（図２３Ｄの例の場合には１２ヶ月分）表示するようにしたものである。このようにすることによって、月別の消費カロリーの変化を一目で確認することができる。
【０１９１】
なお、図２３Ｄの場合には、１２ヶ月分の月別の消費カロリーのヒストグラム表示を行う場合を例にしたが、これに限るものではない。例えば、３ヶ月分、４ヶ月分、６ヶ月分などのように、表示画面３４Ｇの大きさが許す範囲で、任意の月数分の月別の消費カロリーのヒストグラムを表示することが可能である。
【０１９２】
このように、運動履歴情報を使用者に提示できるようにすることによって、使用者は自分がどれ位の運動を行っているのかを客観的に把握することが可能となり、継続して行うことが好ましい運動を行うことについての動機付けや運動を継続して行うことができるようにする支援をユーザーに対して与えるようにすることができる。
【０１９３】
なお、図２３は、期間別の消費カロリーの累積値を示す場合の例であるが、再生した楽曲単位に運動量を示すようにしてもよい。図２４は、楽曲単位に運動情報を示すようにした場合の表示例を説明するための図である。
【０１９４】
図２４において、最上段には、次に続く情報が楽曲名であることを示す音符マークと、楽曲名（図２４においては、「ａａａａａ」と記載。）と、当該楽曲に応じてウォーキングした場合の単位時間（例えば１分）当たりの消費エネルギー（図２４においては、「Walk:6.2」と記載）の表示と当該楽曲に応じてランニングした場合の単位時間（例えば１分）当たりの消費エネルギー（図２４においては、「Run:25.0」と記載）の表示とを表示している。
【０１９５】
図２４において、中段には、次に続く情報がアーティスト名であることを示すマーク（○と△で形成されたマーク）と、アーティスト名（図２４においては、「ＡＡＡＡＡ」と記載。）と、過去の履歴情報に基づく、当該楽曲に応じて運動した場合の平均消費カロリー（図２４においては、「過去平均：12.6」と記載。）とを表示している。
【０１９６】
また、図２４において、最下段には、当該使用者においての実際の消費カロリー（図２４においては、「８．９ｋｃａｌ」と記載）と、その内訳として、ウォーキングによって消費した消費カロリー（図２４においては、「Walk:3.2」と記載。）とランニングによって消費した消費カロリー（図２４においては、「Run:5.7」と記載。）とを表示している。
【０１９７】
このように、再生した楽曲毎に運動情報を表示することにより、どの楽曲が再生されているときに効率よくエネルギーを消費できたか（効率よく運動できたか）を知ることができる。これにより、効率よく運動できる楽曲を特定し、これを積極的に用いて運動を行うようにするなどのことができるようにされる。
【０１９８】
なお、図２０に示した処理は、目標運動量に到達するまでの間において、運動を継続するものとして説明したが、これに限るものではない。例えば、目標運動量に到達するようにする運動を複数日に分けて行うようにすることも可能である。このような場合には、例えば、一旦停止させ、この後に再生を再開させる操作を行うことにより、前回停止させた時の累積した実運動量から、再度、図２０に示した処理を行うようにすることもできる。
【０１９９】
[履歴情報の利用例について]
[履歴情報を利用したプレイリストの作成について]
図２５は、この実施の形態の音響再生装置の例えば記憶装置部５３の記録媒体に作成される運動・再生履歴情報の一例を説明するための図である。上述もしたように、この実施の形態の音響再生装置の場合には、図２０を用いて説明したように、ステップＳ３０７の処理において、図８に示したように、再生した楽曲毎に再生楽曲履歴が保存するようにされる。
【０２００】
そして、上述もしたように、図８に示した再生楽曲履歴に基づいて、あるいは、上述もしたように、再生した楽曲毎に、楽曲名、テンポ、再生時間、使用者が行った運動の種類、消費カロリー、歩数、運動距離からなる再生楽曲履歴を楽曲毎に集計することにより、図２５Ａに示すような比較的に長期間に渡って累積した履歴情報を形成することができる。具体的には、例えば、１週間単位、１月単位、１年単位などのような単位で履歴情報を累積することができる。もちろん、数週間単位、数ヶ月単位、数年単位といった単位で履歴情報を累積することも可能である。
【０２０１】
そして、図２５Ａに示したように長期間に渡って再生楽曲履歴を累積して形成した運動・再生履歴情報を用いることにより、図２５Ｂに示すように、新たな抽出条件を設定して、今までに無いプレイリスト（再生候補リスト）を作成することができる。具体的には、図２５Ｂに示したように、再生時間の累積が長いものの上位１０曲（再生時間の上位１０曲）を抽出して再生するようにしたり、歩数の累積が５０００歩以上の楽曲を選んでシャッフル再生を行うようにしたり、あるいは、消費カロリーの累積が少ないものから１０曲を抽出して再生するようにしたりするなどのことが可能である。
【０２０２】
また、例えば、再生時間は所定値以下であるが、消費カロリーが所定値以上のものを抽出するようにしたり、再生時間は所定値以下であるが、歩数が所定値以上ものものを抽出したりするなどというように、複数の情報を組み合わせた条件を設定するなど、他の種々の条件を設定し、再生する楽曲を抽出するようにすることが可能である。
【０２０３】
そして、図２５を用いて説明した履歴情報を利用してプレイリストを作成する方法は、例えば、図２０に示した処理のステップＳ３０３において、再生すべき楽曲を選択する場合などにおいて利用することができる。もちろん、目的に応じたプレイリストを作成する種々の場合に利用可能である。
【０２０４】
すなわち、履歴情報に基づいて、選択して再生できる楽曲を切り替えたり、選択して再生できる楽曲の種類や数を変えるようにしたりすることができる。
【０２０５】
[履歴情報に基づいて特典を与える例について]
図２５Ａに示した運動・再生履歴情報に基づいて、例えば、所定の運動量の累積値が予め決められた値に到達したことを検出した場合に、何らかの特典を使用者に提供することにより、長期に渡って継続することが好ましい運動を行うことについての動機付けを与え、運動が継続できるように支援することができるようにしている。
【０２０６】
図２６は、履歴情報に基づいて特典を与える場合の具体例を説明するための図である。この内、図２６Ａは、所定の運動量の累積値を消費カロリーの累積値（累計）とし、これに対する予め決められた値を１０００ｋｃａｌとした場合において、消費カロリーが１０００ｋｃａｌを超えた場合に、音楽情報記憶装置部２１の記録媒体に記録保持されてはいたが、それまで再生できなかった隠し楽曲「○○○」を再生できるようにする特定を与える場合の例を示している。
【０２０７】
この実施の形態の音響再生装置の制御部１０は、運動が行われる毎に、図８を用いて説明したような再生楽曲履歴を記憶装置部５３の記録媒体に保存し、所定のタイミング、例えば、運動を終了したタイミングなどにおいて、再生楽曲履歴を集計し、図２５Ａに示したような運動・再生履歴情報を形成するので、そのトータルの消費カロリーを確認する。
【０２０８】
そして、トータルの消費カロリーが１０００ｋｃａｌを超えていた場合には、制御部１０は、図２６Ａに示したような情報を表示するための画面情報を形成し、これを表示回路３３を通じて表示部３４の表示画面３４Ｇに表示するようにする。そして、使用者が確認入力等の所定の操作を行うと、それまで再生できなかった楽曲「○○○」についての情報を図５に示したような再生可能な楽曲の一覧リストである楽曲情報リストに追加して、当該楽曲「○○○」をいつでも再生できるようにする。
【０２０９】
このように、予め決められた分の運動量の運動を行った場合に、それまで再生できなかった楽曲を再生できるようにする特典を与えることによって、使用者は、新たに再生可能となる楽曲を増やしたいと思うようになり、長期に渡って継続することが好ましい運動を行うことについての動機付けを与え、運動が継続できるように支援することができる。
【０２１０】
また、図２６Ｂは、所定の値の累積値を消費カロリーの累積値（累計）とし、これに対する予め決められた値を１０００ｋｃａｌとした場合において、消費カロリーが１０００ｋｃａｌを超えた場合に、所定の楽曲「△△△」を無料でダウンロードできるようにする特定を与える場合の例を示している。
【０２１１】
この場合にも、制御部１０は、運動が行われる毎に、図８を用いて説明したような再生楽曲履歴を記憶装置部５３の記録媒体に保存し、所定のタイミング、例えば、運動を終了したタイミングなどにおいて、再生楽曲履歴を集計し、図２５Ａに示したような運動・再生履歴情報を形成するので、そのトータルの消費カロリーを確認する。
【０２１２】
そして、トータルの消費カロリーが１０００ｋｃａｌを超えていた場合には、制御部１０は、図２６Ｂに示したような情報を表示するための画面情報を形成し、これを表示回路３３を通じて表示部３４の表示画面３４Ｇに表示するようにする。そして、使用者が確認入力等の所定の操作を行うと、例えば、ＲＯＭ１２などに予め記憶しておいたアクセスＩＤの利用を許可する。
【０２１３】
そして、制御部１０は、通信Ｉ／Ｆ６１を制御し、インターネットなどのネットワーク１００を通じて所定のサーバ装置にアクセスして、利用が許可されたアクセスＩＤを当該サーバ装置に送信することによって、認証を確立し他の値に、当該所定の楽曲「△△△」のダウンロードを行うようにする。
【０２１４】
これにより、所定のサーバ装置から当該所定の楽曲「△△△」がこの実施の形態の音響再生装置に対してダウンロードされ、これが音楽情報記憶装置部２１の記録媒体に保存されると共に、必要な情報が図５に示した楽曲情報リストに追加され、いつでも再生することができるようにされる。
【０２１５】
このように、予め決められた分の運動量の運動を行った場合に、新たな楽曲をダウンロードできるようにする特典を与えることによって、長期に渡って継続することが好ましい運動を行うことについての動機付けを与え、運動が継続できるように支援することができる。
【０２１６】
なお、この図２６に示した例の場合には、所定の値の累積値として、消費カロリーの累積値（累計）を用いる場合を例にして説明したが、これに限るものではない。歩数や運動距離を用いるようにしてもよいし、また、所定の楽曲の再生時間の累積値を用いるようにしてもよい。
【０２１７】
また、サーバ装置へのアクセスは、送受信回路６２、送受信アンテナ６３、及び、無縁ＬＡＮシステムを経由して行うようにすることも可能である。
【０２１８】
[履歴情報に基づいて特典を与える例の変形例について]
図２６に示した例の場合には、所定の値の累積値が予め決められた値に到達したことを検出した場合に、何らかの特典を使用者に提供するようにした。すなわち、特典の付与は、所定の値の累積値が予め決められた値に到達した場合の１回だけである。しかし、これに限るものではない。
【０２１９】
例えば、運動量の累積値を把握し、その到達度に応じて複数回特典を与えるようにすることもできる。図２７、図２８は、運動量の累積値として運動距離の累積値を用い、運動距離の累積値が、日本橋を起点する東海道五十三次の各宿場町に相当する距離に到達した場合に、特典を付与する場合の例を説明するための図である。
【０２２０】
図２７に示すように、東海道五十三次の場合、大きな宿場町としては、小田原、箱根、沼津、島田、浜松、岡崎、宮、四日市などが存在する。そこで、図２８に示すように、日本橋を起点として、各宿場町までの距離を予め把握しておき、これを特典テーブルとして例えば記憶装置部５３の記録媒体に格納しておく。
【０２２１】
この図２８に示すテーブルには、各宿場町毎に、日本橋からの距離が格納される他、その宿場町のご当地ソングの識別情報（図２８においては、曲ａ、曲ｂ、曲ｃ、…と記載。）と特点付与可能者の区分、プレゼント対象の名産品の識別情報と特点付与可能者の区分とが格納されたものである。
【０２２２】
特典付与可能者の区分は、ご当地ソングの提供を受けることが可能な使用者の区分、名産品プレゼントを受けることが可能な使用者の区分である。したがって、使用者が、この実施の形態の音響再生装置を用いて楽曲を再生しながら運動を行った場合であって、その運動距離が図２８に示すテーブルの各宿場町までの距離を越えた場合には、予めこの実施の形態の音響再生装置の音楽情報記憶装置部２１に格納されている対応する宿場町のご当地ソングを再生することができるようにされる。このご当地ソングの再生特典は、項目名「楽曲」に隣接する区分が示すように、日本橋から各宿場町までの距離の運動距離をクリアーしたユーザーの全員が受けることができるものである。
【０２２３】
また、使用者が、この実施の形態の音響再生装置を用いて楽曲を再生しながら運動を行った場合であって、その運動距離が図２８に示すテーブルの各宿場町までの距離を越えた場合には、例えば、ＲＯＭ１２に格納されている識別ＩＤの利用が可能となるようにされ、制御部１０は、通信Ｉ／Ｆ６１を通じてインターネットなどのネットワーク上の所定のサーバ装置にアクセスし、所定の名産品のプレゼントの募集に応募することができるようにされる。この場合、項目名「名産品」に隣接する区分に示したように、応募者の中から抽選でプレゼントされる名産品と、応募者全員がプレゼントされる名産品とがある。
【０２２４】
このようにすることにより、さらに長期間に渡って、目的とする運動を継続することについての動機付けを与えることができると共に、運動が継続できるように支援することができる。
【０２２５】
なお、図２７、図２８に示した例は、この実施の形態の音響再生装置で再生される楽曲を聴取しながら運動を行った使用者の検出された運動距離の累積値を、日本橋を起点とする東海道五十三次の各宿場町までの距離を対応付けて特典を与えるようにしたが、これにかぎるものではない。
【０２２６】
例えば、パリ・ダカールラリーのコースになぞらえ、パリを起点として各チェックポイントまでの距離を用いるようにしたり、様々な高速道路になぞらえ、始点から各インターチェンジまでの距離を用いるようにしたり、また、種々の物語において、主人公の移動経路になぞらえ、始点から各ポイントとなる場所までの距離を用いるようにするなど、種々の適用が可能である。
【０２２７】
ここでは、運動距離を用いたが、歩数や消費カロリーの累積値を用いることも可能である。この場合、歩数や消費カロリーを距離に換算するようにしてもよいし、歩数や消費カロリーをそのままの値して用い、様々な目標値を想定して、クリアーする毎に、種々の特典を与えるようにすることが可能である。
【０２２８】
また、図２７、図２８を用いて説明したように、ご当地ソングの提供や、名産品のプレゼントといった特典付与に限るものではない。例えば、各到達ポイントに到達した場合に、「○○に到達。おめでとうございます。」などといった表示メッセージを表示したり、ファンファーレなどの音声メッセージを出力したりするなど、映像や音声によって、完了メッセージを出力するようにすることができる。
【０２２９】
また、音響再生装置に対して所定の操作を行った場合に、途中経過を通知するようにすることも可能である。例えば、図２７、図２８に示した例の場合において、途中経過を出力するための所定の操作を行った場合には、「移動距離累計は△△ｋｍです。小田原まで後□□ｋｍです。」といった表示を表示部３４の表示画面に表示したり、同様の音声メッセージを音声信号出力処理部３１、スピーカ３２を通じて放音したりすることができる。
【０２３０】
すなわち、途中経過、目標に対する残量などを適宜のタイミングで通知することが可能である。また、達成状況や達成率などを出力することも可能である。例えば、図２７、図２８に示した例の場合において、達成状況を出力するための所定の操作を行った場合には、「小田原、箱根、沼津を既に通り過ぎました。」などのように、現在までの達成状況を出力することができるし、また、達成率を出力するための所定の操作を行った場合には、「全行程の２１パーセントを完了しました。」などのように、全行程に対する達成率を出力したりすることが可能である。
【０２３１】
もちろん、途中の到達ポイントに対する達成状況や達成率を出力するようにすることも可能である。いずれの場合においても、制御部１０が、記憶装置部５３の記録媒体に保持される履歴情報に応じて、途中経過の状態、目標値に対する残量、達成状況、達成率などを把握し、これを表示回路３３、表示部３４を通じて表示したり、音声信号出力処理部３１、スピーカ３２を通じて出力したりすることができる。
【０２３２】
また、この実施の形態においては、図２８に示した特典テーブルを記憶装置部５３の記録媒体に格納しておくものとして説明したが、これに限るものではない。特典テーブルは、ネットワーク上のサーバ装置に設けておき、所定のタイミングで当該音響再生装置からサーバ装置に運動量の累積値を送信し、目標とする運動量に到達したか否かの判断処理を含め、特典の提供処理をサーバ装置側で行うようにすることも可能である。
【０２３３】
また、この例の場合にも、サーバ装置へのアクセスは、送受信回路６２、送受信アンテナ６３、及び、無縁ＬＡＮシステムを経由して行うようにすることも可能である。
【０２３４】
[運動量の算出方式の他の例]
上述した実施の形態において、消費カロリーの算出は、図９〜図１１を用いて説明したように、入力される個人プロフィール情報と、運動時に再生された楽曲のテンポと、運動時間とに基づいて算出したり、また、図１２を用いて説明したように、入力される個人プロフィール情報の体重と、ＭＥＴＳ値と、運動時間とを用いて算出したりして、把握するようにした。しかし、これに限るものではない。もっと簡便的に把握することも可能である。
【０２３５】
図２９は、消費エネルギーを簡易的に求める場合の計算例を説明するための図である。使用者が行う運動がウォーキングの場合であって、使用者の歩幅をその平均的な値である０．７ｍ（７０ｃｍ）と仮定したとする。この場合には、図２９の（３３）式に示すように、定数０．５と、体重と、歩行距離（運動距離）との掛け算によって消費カロリーを求めることができるし、また、歩行距離に代えて歩数を用いた場合には、図２９の（３４）式に示すように、定数０．０００３５と、体重と、歩数との掛け算によって消費カロリーを求めることができる。
【０２３６】
また、使用者が行う運動がウォーキングの場合であって、使用者の移動速度をその平均的な値である４ｋｍ／ｈ（時速４ｋｍ）と仮定したとする。この場合には、図２９の（３５）式に示すように、定数０．５と、体重と、歩行距離（運動距離）との掛け算によって消費カロリーを求めることができるし、また、歩行距離に代えて運動時間を用いた場合には、図２９の（３６）式に示すように、定数０．０３３と、体重と、運動時間との掛け算によって消費カロリーを求めることができる。
【０２３７】
また、使用者が行う運動がジョギングの場合であって、使用者の歩幅をその平均的な値である０．７ｍ（７０ｃｍ）と仮定したとする。この場合には、図２９の（３７）式に示すように、定数１．０と、体重と、歩行距離（運動距離）との掛け算によって消費カロリーを求めることができるし、また、歩行距離に代えて歩数を用いた場合には、図２９の（３８）式に示すように、定数０．０００７と、体重と、歩数との掛け算によって消費カロリーを求めることができる。
【０２３８】
また、使用者が行う運動がジョギングの場合であって、使用者の移動速度をその平均的な値である８ｋｍ／ｈ（時速８ｋｍ）と仮定したとする。この場合には、図２９の（３９）式に示すように、定数１．０と、体重と、歩行距離（運動距離）との掛け算によって消費カロリーを求めることができるし、また、歩行距離に代えて運動時間を用いた場合には、図２９の（４０）式に示すように、定数０．１３と、体重と、運動時間との掛け算によって消費カロリーを求めることができる。
【０２３９】
このように、運動時の移動速度、または、歩数を、それらの平均的な値として仮定することにより、図２９に示したように、使用者が行った運動によって消費される消費カロリーを簡易的に計算することが可能である。
【０２４０】
なお、上述したように、簡易的な計算式を用いることにより、ＣＰＵに負荷をかけることなく運動量を把握することができるので、音響再生装置の小型化や、消費電力の省力化を促進することができる。
【０２４１】
しかし、音響再生装置が比較的に大きなものであり、ＣＰＵの能力、消費電力等の制約が無い場合には、年齢や性別をも考慮してより正確に運動量を算出するようにしてももちろんよい。
【０２４２】
このように、この実施の形態の音響再生装置は、使用者が行う運動（ウォーキング、ジョギング、ランニングなど）が目標とする運動量に達するまでの間、所定の方法で楽曲を選択して再生することができる。また、過去に行った運動の履歴（運動履歴）や過去に再生した楽曲の履歴（再生履歴）等を利用して、選択して再生できる楽曲を切り替えたり、選択して再生できる楽曲の種類や数などを変えると共に、運動量の累積などから特典（隠された楽曲が再生できる、ボーナス楽曲がダウンロードできるなど）を与えるなどして、娯楽性を付与することができる。これにより、長期間に渡って継続して行うことが好ましい運動を行うことについての動機付けを与えると共に、運動の継続や運動量の管理を支援する手段を実現することができる。
【０２４３】
［その他］
また、図３、図１９、図２０に示したフローチャートの各ステップの処理を実行するプログラム（ソフトウェア）を作成することも可能である。そして、図３、図９、あるいは、図２０に合致したプログラム（ソフトウェア）を形成し、これを種々の音響再生装置に搭載することによって、この発明の音響再生装置、音響再生方法を比較的容易に実現することができる。
【０２４４】
また、使用者の動作テンポとの差が所定範囲内にあるテンポの音楽データを選択して決定する場合において、選択可能な音楽データが複数存在する場合もあると考えられる。このような場合に対応するため、例えば、優先して選択すべき音楽データのジャンルやアーティストを登録しておくことにより、ジャンルやアーティストによって、優先して選択すべき音楽データを特定できるようにしてもよい。
【０２４５】
また、音響再生装置において再生可能な音楽データのそれぞれに発売日などの日付情報を付加しておき、日付情報の新しい音楽データから優先して選択したり、逆に、日付情報の古いものから選択したりするなど、日付情報に基づいて、選択する音楽データを絞り込むようにしてもよい。
【０２４６】
また、再生可能な音楽データのそれぞれに、使用頻度や人気ランキングなどの情報を付加するようにしておき、これらの情報に基づいて、選択する音楽データを絞り込むようにしてもよい。要は、再生可能な音楽データの付加情報に基づいて、選択する音楽データを絞り込み、迅速に音楽データを選択して決定することができるようにしておけばよい。
【０２４７】
また、上述した実施の形態においては、使用者が行う運動は、主にウォーキングやジョギングである場合を想定して説明したが、これに限るものではない。少なくとも、ウォーキング、ジョギング、ランニング、ダッシュなどのいわゆる歩行運動の範囲に含まれるものや、自転車こぎ、ボート漕ぎ、縄跳びなどの比較的に長時間に渡って継続可能なもの、さらには、腹筋、背筋、腕立て伏せなどのいわゆる筋力トレーニングなどであってもよい。
【０２４８】
したがって、この発明が適用された音響再生装置をスポーツクラブなどで用いられる自転車こぎ装置、ボート漕ぎ装置、室内ランニング装置などに搭載することも可能である。この場合、行われる運動は予め分かっているので、それらを行った場合の動作テンポから運動の強度を正しく求めることが可能となり、運動量の計算をより正確に行うことが可能となる。
【０２４９】
このように、この発明は、携帯型の音響再生装置に限るものではなく、据え置き型の音響再生装置や、種々のトレーニング機器に搭載した携帯の音響再生装置などにも適用可能である。もちろん、携帯型のハードディスクレコーダ、ＩＣプレーヤ、音楽再生機能付きの携帯電話端末などの種々の携帯型の音響再生装置に適用できることは上述した通りである。
【０２５０】
また、算出すべき運動量情報としては、運動時間、歩行距離などの運動距離、平均速度、消費カロリー、脂肪燃焼量などの内、使用者が必要とする１つ以上の情報を算出して提示できるようにすればよい。また、心拍センサ、血圧センサ、体温計などを併用し、これらの情報を取得して使用者に提示することも可能である。
【０２５１】
また、使用者のプロフィール情報としては、氏名、年齢、身長、体重等が入力できればよく、また、正確に歩幅を測るようにして、歩幅を示す情報をプロフィール情報として入力するようにしてもよい。この他、平常時の心拍数、血圧、体温などを入力したり、計測してこれを入力するようにしたりすることも可能である。
【０２５２】
また、上述もしたが、図５に示した楽曲情報リストは、これに限るものではなく、ジャンル、アーティスト、発表日、人気ランキングなどの種々の付加情報を付加するようにしてももちろんよい。このような種々の付加情報は、例えば、ネットワーク１００上に設けられたサーバ装置の音楽データベースなどを通じて使用者の音響再生装置に提供できるようにしたり、ＣＤ（Compact Disc）やＤＶＤ（Digital Versatile Disc）、半導体メモリカードなどの記録媒体を介して使用者の音響再生装置に提供したりしてもよい。
【０２５３】
また、上述もしたように、音響再生装置に搭載される音楽情報記憶装置部２１や記憶装置部５３の記録媒体としては、ＣＤやＤＶＤなどの光ディスク、ＭＤ（（Mini Disc）登録商標）などの光磁気ディスク、磁気テープ、ハードディスク、半導体メモリー、ＩＣメモリカードなどの種々の記録媒体を用いるようにすることが可能である。
【０２５４】
また、音楽情報リストや再生楽曲リストなどの情報は、音楽情報記憶装置部２１や記憶装置部５３の記録媒体のほか、例えば、制御部１０にＥＥＰＲＯＭ（Electrically Erasable and Programmable ROM）やフラッシュメモリなどの不揮発性メモリーを設けるようにし、ここに作成するように構成することも可能である。
【０２５５】
また。上述した実施の形態においては、主に音楽データを再生する場合を例にして説明したが、これに限るものではない。表示回路３３及び表示部３４を通じて再生する映像データに同期して音楽データをも再生するＡＶ（Audio/Visual）データを再生する場合であっても、この発明を適用することができる。
【０２５６】
また、予め使用者が入力した目標運動時間あるいは目標運動量から運動時に再生する楽曲リストを自動的に生成する機能などをも搭載し、これらの機能を併用するようにしてもよい。また、使用者の入力した運動情報から楽曲を提示することも可能である。この場合も、運動センサの情報を利用して使用者の運動のテンポを検出して楽曲を選択提示した場合と同様にして運動量情報を求めることが可能である。
【０２５７】
また、使用者の動作テンポに応じたテンポの音楽データを自動的に選択して再生する機能他、使用者が運動の種類、時間、強度、再生楽曲のデータをあらかじめ用意してプレイリストを作って登録しておくことも可能であり、この場合にも先の例と同様に運動量情報を求めることが可能である。（たとえばサーキットトレーニングなどで利用できる）
図２７、図２８を用いて説明したように、運動量の累積値を把握し、その到達度に応じて複数回特典を与えるようにする処理を行うプログラムを形成し、これを音響再生装置に搭載することによって、種々の音響再生装置に、運動量の累積値を把握し、その到達度に応じて複数回特典を与えるようにする機能を搭載することができる。
【０２５８】
具体的には、少なくとも再生された音楽データの識別情報と、当該音楽データの再生時における実運動量とを対応付けた履歴情報を作成する履歴情報作成ステップと、前記履歴情報作成ステップにおいて作成した前記履歴情報を記録媒体に記憶保持する記憶処理ステップと、前記記憶媒体に記憶した前記履歴情報の前記実運動量が、目的とする運動量に到達した場合に、予め決められた特典を付与するようにする特典付与ステップとを実行する音響再生プログラムを作成し、これをＣＰＵが読み出し可能なように、ＲＯＭや不揮発性メモリーに記憶させておけばよい。
【０２５９】
なお、特典付与ステップにおいては、付与する特典に応じて、制御部１０がその機能を実現したり、また、通信Ｉ／Ｆ６１やネットワーク１００を通じて接続されるサーバ装置や、送受信回路６２や送受信アンテナ６３、さらには、無線ＬＡＮを通じて接続されるサーバ装置と協働することによって、主に制御部１０がその機能を実現したりする場合もある。
【図面の簡単な説明】
【０２６０】
【図１】この発明による装置、方法の一実施の形態が適用された音響再生装置を説明するためのブロック図である。
【図２】音響再生装置が取り得る代表的な外観の例を説明するための図である。
【図３】図１に示した音響再生装置の動作を説明するためのフローチャートである。
【図４】使用者のプロフィール情報の入力画面例を説明するための図である。
【図５】楽曲情報リスト（再生可能な音楽データの一覧リスト）の一例を説明するための図である。
【図６】音楽データの再生中の表示画面例を説明するための図である。
【図７】音楽データ再生終了後に表示される運動量情報の表示例を説明するための図である。
【図８】再生楽曲リスト（再生楽曲履歴）の一例を説明するための図である。
【図９】歩行距離等の算出について説明するための図である。
【図１０】運動時の移動の平均速度の算出を説明するための図である。
【図１１】１分間当たりの消費エネルギーを用いて消費エネルギーを求める場合について説明するための図である。
【図１２】運動ごとに定められる運動強度を示す値であるＭＥＴＳ値を用いて消費エネルギーを求める場合について説明するための図である。
【図１３】脂肪燃焼量を求める場合について説明するための図である。
【図１４】ＭＥＴＳ値について説明するための図である。
【図１５】ＭＥＴＳ値について説明するための図である。
【図１６】消費カロリーを求める場合の具体例を説明するための図である。
【図１７】消費カロリーを求める場合の具体例を説明するための図である。
【図１８】運動センサ２４として設けられた３軸の加速度センサの鉛直方向の出力を示す図である。
【図１９】音響再生装置の動作の他の例を説明するためのフローチャートである。
【図２０】使用者が目標とする運動量に到達するまでの間において、再生すべき楽曲を自動選曲する場合の音響再生装置の動作を説明するためのフローチャートである。
【図２１】目標運動量の入力画面を説明するための図である。
【図２２】音楽データを再生している場合において表示される楽曲の再生中表示の表示例を説明するための図である。
【図２３】運動情報表示の具体例を説明するための図である。
【図２４】楽曲単位に運動情報を示すようにした場合の表示例を説明するための図である。
【図２５】運動・再生履歴情報の一例を説明するための図である。
【図２６】運動の履歴情報に基づいて特典を与える場合の具体例を説明するための図である。
【図２７】運動量の累積値として運動距離の累積値に応じて特典を付与する場合の例を説明するための図である。
【図２８】運動量の累積値として運動距離の累積値に応じて特典を付与する場合の例を説明するための図である。
【図２９】使用者の消費エネルギーを簡易的に求める場合の計算例を説明するための図である。
【符号の説明】
【０２６１】
１０…制御部、１１…ＣＰＵ、１２…ＲＯＭ、１３…ＲＡＭ、１４…ＣＰＵバス、２１…音楽情報記憶装置部、２２…音楽再生データ生成装置部、２３…運動情報解析回路、２４…運動情報センサ、３１…音声信号出力処理部、３２…スピーカ、３３…表示回路、３４…表示部、４１…キー操作部、４２…マイクロホン、４３…音声信号入力処理部、５１…外部端子、５１…Ｉ／Ｆ（インターフェース）、５３…記憶装置部、６１…通信Ｉ／Ｆ、６２…送受信回路、６３…送受信アンテナ
【図１】
2007226935.tif 000003
【図２】
2007226935.tif 000004
【図３】
2007226935.tif 000005
【図４】
2007226935.tif 000006
【図５】
2007226935.tif 000007
【図６】
2007226935.tif 000008
【図７】
2007226935.tif 000009
【図８】
2007226935.tif 000010
【図９】
2007226935.tif 000011
【図１０】
2007226935.tif 000012
【図１１】
2007226935.tif 000013
【図１２】
2007226935.tif 000014
【図１３】
2007226935.tif 000015
【図１４】
2007226935.tif 000016
【図１５】
2007226935.tif 000017
【図１６】
2007226935.tif 000018
【図１７】
2007226935.tif 000019
【図１８】
2007226935.tif 000020
【図１９】
2007226935.tif 000021
【図２０】
2007226935.tif 000022
【図２１】
2007226935.tif 000023
【図２２】
2007226935.tif 000024
【図２３】
2007226935.tif 000025
【図２４】
2007226935.tif 000026
【図２５】
2007226935.tif 000027
【図２６】
2007226935.tif 000028
【図２７】
2007226935.tif 000029
【図２８】
2007226935.tif 000030
【図２９】
2007226935.tif 000031